(57)【要約】      （修正有）【課題】保険加入者の施術歴等の個人情報と、施術内容の難易度等の情報と、施術者の事故発生率等に基づいて、保険料を算定できる保険料算定システムを提供する。【解決手段】施術内容毎の施術実績や事故発生率等の施術者に関する施術者管理ＤＢ１１と、前記施術者を指定する選択チェックボックスと、保険対象となる施術内容に関する難易度等の施術内容情報を記憶する保険料管理ＤＢ１３と、前記施術内容を指定する施術内容決定画面、および施術内容参照画面と、保険に加入する保険加入者の性別や施術歴等の保険加入者情報を受け付ける保険加入者情報受付手段と、前記選択チェックボックスによって指定された前記施術者に対応する前記施術者情報と、施術内容決定画面、および施術内容参照画面によって指定された前記施術内容に対応する前記施術内容情報と、前記保険加入者情報受付手段が受け付けた前記保険加入者情報とに基づいて保険料を算定する。【選択図】図１
2007011915.tif 000002
【特許請求の範囲】
【請求項１】
施術内容毎の施術実績や事故発生率等の施術者に関する施術者情報を記憶する施術者情報記憶手段と、
前記施術者を指定する施術者指定手段と、
保険対象となる施術内容に関する難易度等の施術内容情報を記憶する施術内容記憶手段と、
前記施術内容を指定する施術内容指定手段と、
保険に加入する保険加入者の性別や施術歴等の保険加入者情報を受け付ける保険加入者情報受付手段と、
前記施術者指定手段によって指定された前記施術者に対応する前記施術者情報と、前記施術内容指定手段によって指定された前記施術内容に対応する前記施術内容情報と、前記保険加入者情報受付手段が受け付けた前記保険加入者情報とに基づいて保険料を算定する算定手段とを備えた
保険料算定システム。
【請求項２】
前記算定手段が算定する基準とした前記施術者情報のうち、少なくとも事故発生率を出力する施術者情報出力手段を備えた
請求項１に記載の保険料算定システム。
【請求項３】
前記施術者指定手段を、複数の施術者を指定可能に構成し、
該施術者指定手段が指定した複数の施術者に対応する前記施術者情報に基づいて、前記算定手段によって算定したそれぞれの保険料を比較可能に出力する保険料出力手段を備えた
請求項１または２に記載の保険料算定システム。
【請求項４】
請求項１、２または３に記載の保険料算定システムと、保険料算定結果を送信する保険料算定結果送信手段を備えた管理サーバに、
保険加入者が利用できる保険加入者側端末と、前記施術者が使用する施術者側端末とを電気通信回線を介して通信可能に接続し、
前記保険加入者側端末に、
前記算出結果送信手段からの前記算出結果情報を受信する算出結果受信手段と、
前記算出結果情報を比較可能に出力する算出結果出力手段と、
前記各算出結果を比較して加入する保険の選択を許容する選択手段と、
選択された選択情報を前記管理サーバに送信する選択情報送信手段とを備え、
前記管理サーバに、
前記選択情報送信手段によって送信された前記選択情報を受信する選択情報受信手段と、
受信した前記選択情報に対応する前記施術者側端末に、加入された保険の施術者として選択されていることを示す被選択通知を通知する被選択通知手段とを備え、
前記施術者側端末に、
前記被選択通知を受信する被選択通知受信手段と、受信した前記被選択通知を出力する被選択通知出力手段を備えた
保険管理システム。
【請求項５】
前記施術者側端末に、
出力された前記被選択通知に基づいて、施術者として選択された保険への前記施術者の加入を前記管理サーバに指示する施術者加入指示手段とを備えた
請求項４に記載の保険管理システム。
【請求項６】
前記管理サーバに、
加入された保険の賠償実績情報を記憶する賠償実績情報記憶手段と、
各施術者の被選択保険あるいは加入保険の賠償実績に基づいて該施術者を査定する査定手段と、
前記査定手段による査定結果に基づいて前記施術者の保険金負担の待遇を決定する待遇決定手段と、
決定した前記待遇を出力する待遇出力手段を備えた
請求項４または５に記載の保険管理システム。
【請求項７】
施術内容を専門的に判断可能な第三者機関が使用する第三者機関側端末を、前記管理サーバに電気通信回線を介して通信可能に接続し、
前記施術者側端末に、
前記保険加入者側端末、前記管理サーバ又は第三者機関側端末のうち少なくとも１つに前記保険の対象となる施術に関する施術情報を送信する施術情報送信手段を備えた
請求項４、５または６に記載の保険管理システム。
【発明の詳細な説明】
【技術分野】
【０００１】
この発明は、例えば保険加入者が、施術行為に対して保険に加入することのできる保険管理システム、およびその保険料算定システムに関する。
【背景技術】
【０００２】
高齢化が問題である現代社会において、様々な保険商品が提案されているとともに、保険加入者の検診データや生活習慣等に基づいて将来の医療費を予測する医療費予測システムが提案されている（特許文献１参照）。
【０００３】
この医療費予測システムは、保険加入者の個人属性に応じた慢性疾患の発症率を読み取り、読み取った発症率を検診データや生活習慣で補正し、発症率に伴って予測される医療費を計算するシステムである。
【０００４】
この医療費予測システムによって計算した医療費に基づいて保険料を算出する保険商品を提案することができるものの、この医療費予測システムでは個人属性等の保険加入者の情報のみを算定基準としているため、同じ状態の保険加入者であれば予測医療費は同じとなり、保険料も同額となる。
【０００５】
しかし、様々な施術内容や施術者を選択できる現代において、保険料が保険加入者の情報のみで算定されて、施術内容や施術者にもかかわらず同額となる保険商品は、利用者にとって満足できるものではなかった。
【０００６】
【特許文献１】特開２００５−５０３８０号公報
【発明の開示】
【発明が解決しようとする課題】
【０００７】
この発明は、保険加入者の施術歴等の個人情報と、施術内容の難易度等の情報と、施術者の事故発生率等の施術者の情報とに基づいて、保険料を算定できるような保険料算定システムを提供することを目的とする。
【課題を解決するための手段】
【０００８】
この発明は、施術内容毎の施術実績や事故発生率等の施術者に関する施術者情報を記憶する施術者情報記憶手段と、前記施術者を指定する施術者指定手段と、保険対象となる施術内容に関する難易度等の施術内容情報を記憶する施術内容記憶手段と、前記施術内容を指定する施術内容指定手段と、保険に加入する保険加入者の性別や施術歴等の保険加入者情報を受け付ける保険加入者情報受付手段と、前記施術者指定手段によって指定された前記施術者に対応する前記施術者情報と、前記施術内容指定手段によって指定された前記施術内容に対応する前記施術内容情報と、前記保険加入者情報受付手段が受け付けた前記保険加入者情報とに基づいて保険料を算定する算定手段とを備えたことを特徴とする。
【０００９】
上記施術内容は、一般治療、保険外治療、混合治療、美容整形、歯科治療、出産、コンタクトの販売等を含む。  
施術実績とは、年間施術実績数、平均施術実績数等のその施術内容の処置実績数を含む。
【００１０】
事故発生率とは、後遺症障害、死亡等の医療事故が施術内容毎の処置実績数や全処置実績数に対して発生する率等を含む。  
難易度とは、施術内容毎の処置の困難性を数値化したものであることを含む。  
施術歴は、保険加入者の既往症、施術中の既往歴等であることを含む。
【００１１】
これにより、保険加入者の性別や施術歴等の保険加入者情報と施術内容の難易度等の施術内容情報とに加えて、施術者の施術実績や事故発生率等を保険料の算定に反映でき、保険加入者が同一かつ施術内容が同一の場合であっても施術者によって算定保険料が異なるため、保険を利用する保険加入者の満足度を向上させることができる
この発明の態様として、前記算定手段が算定する基準とした前記施術者情報のうち、少なくとも事故発生率を出力する施術者情報出力手段を備えることができる。
【００１２】
これにより、例えば、出力された事故発生率等の施術者情報を確認してから保険加入したり、施術者を決定したりできるため、保険加入者の満足度を向上させることができる。
【００１３】
また、この発明の態様として、前記施術者指定手段を、複数の施術者を指定可能に構成し、該施術者指定手段が指定した複数の施術者に対応する前記施術者情報に基づいて、前記算定手段によって算定したそれぞれの保険料を比較可能に出力する保険料出力手段を備えることができる。
【００１４】
上記比較可能な出力とは、例えば評価等に基づいて比較した結果の出力であること、あるいは複数の保険料を同時に出力し、保険加入者自身が比較できる出力であること等を含む。
【００１５】
これにより、例えば、比較可能に出力された保険料に基づいて、保険加入者が加入する保険や施術者を決定したりできるため、保険加入者の満足度をさらに向上させることができる。
【００１６】
また、この発明の態様として、保険料算定システムと、保険料算定結果を送信する保険料算定結果送信手段を備えた管理サーバに、保険加入者が利用できる保険加入者側端末と、前記施術者が使用する施術者側端末とを電気通信回線を介して通信可能に接続し、前記保険加入者側端末に、前記算出結果送信手段からの前記算出結果情報を受信する算出結果受信手段と、前記算出結果情報を比較可能に出力する算出結果出力手段と、前記各算出結果を比較して加入する保険の選択を許容する選択手段と、選択された選択情報を前記管理サーバに送信する選択情報送信手段とを備え、前記管理サーバに、前記選択情報送信手段によって送信された前記選択情報を受信する選択情報受信手段と、受信した前記選択情報に対応する前記施術者側端末に、加入された保険の施術者として選択されていることを示す被選択通知を通知する被選択通知手段とを備え、前記施術者側端末に、前記被選択通知を受信する被選択通知受信手段と、受信した前記被選択通知を出力する被選択通知出力手段を備えることができる。
【００１７】
上記管理サーバは、パーソナルコンピュータや携帯電話端末等で構成し、データベースサーバ、ＷＥＢサーバ、および電子メール配信サーバ等を有するサーバであることを含む。  
上記保険加入者側端末および施術者側端末は、パーソナルコンピュータや携帯電話端末等で構成し、電子メール作成、および送受信等のできるメーラー、およびＨＰ等の閲覧可能なブラウザ等を格納している端末であることを含む。なお、上記保険加入者側端末は保険加入者所有の端末あるいは、保険加入者が利用可能な保険勧誘員の端末であることを含む。  
上記電気通信回線は、インターネットやパケット通信網等の公衆回線であることを含む。
【００１８】
上記構成により、保険加入者は保険加入者側端末を利用して、上記管理サーバに保険料の算定を指示し、保険料算定結果を比較可能に出力させることができ、保険加入者は、保険加入者側端末から上記管理サーバに保険加入を指示できる。
【００１９】
したがって、保険加入者は保険加入者側端末を利用して加入する保険を容易に参照して検討することができるとともに、加入手続きをすることができ、保険加入者の利用利便性を向上させることができる。
【００２０】
また、上記構成により、保険加入者側端末に、加入された保険の施術者として選択されていることを示す被選択通知を通知することができるため、通知された施術者はこれから処置する施術が保険対象であることを知りながら、インフォームドコンセント等の必要な措置をとりながら施術することができる。したがって、施術者とともに保険加入者にも安心感をもって施術することができる。
【００２１】
また、この発明の態様として、前記施術者側端末に、出力された前記被選択通知に基づいて、施術者として選択された保険への前記施術者の加入を前記管理サーバに指示する施術者加入指示手段とを備えることができる。
【００２２】
上記施術者の加入とは、保険加入者が加入した保険の保険料を負担する加入、および保険加入者が加入した保険を割増す加入等であることを含む。  
これにより、保険加入者は加入した保険の保険料の負担を受けたり、自己が支払う保険料以上の保険に加入できるため、保険加入者の満足度を向上することができる。  
また、施術者も保険料を負担することで保険加入者へのサービスを提供でき、保険料を負担することが施術者への広告となり、施術希望者の増加を図ることができる。  
また、割増して保険に加入することによって、保険加入者が加入した保険以上の賠償が請求された場合であっても、割増しした保険により補償することができる。
【００２３】
また、この発明の態様として、前記管理サーバに、加入された保険の賠償実績情報を記憶する賠償実績情報記憶手段と、各施術者の被選択保険あるいは加入保険の賠償実績に基づいて該施術者を査定する査定手段と、前記査定手段による査定結果に基づいて前記施術者の保険金負担の待遇を決定する待遇決定手段と、決定した前記待遇を出力する待遇出力手段を備えることができる。
【００２４】
上記保険金負担の待遇とは、施術者が加入する保険料の割引又は割増し、還付金又はペナルティ等を含む。  
これにより、施術者は自己の実績に基づいて優遇等を受けることができる。したがって施術に対する慎重度が高まり、安全性の高い施術を保険加入者は受けることができる。
【００２５】
また、この発明の態様として、施術内容を専門的に判断可能な第三者機関が使用する第三者機関側端末を、前記管理サーバに電気通信回線を介して通信可能に接続し、前記施術者側端末に、前記保険加入者側端末、前記管理サーバ又は第三者機関側端末のうち少なくとも１つに前記保険の対象となる施術に関する施術情報を送信する施術情報送信手段を備えることができる。
【００２６】
上記第三者機関とは、弁護士等が所属する機関、セカンドオピニオンを提供できる専門医所属する機関等であることを含む。  
これにより、保険加入者は、自己が受けた施術に対して、専門医等からセカンドオピニオン等を得ることができるとともに、例えば、施術後に後遺症等の医療事故が発生した場合であっても、弁護士等の専門的な措置を得ることができる。  
また、施術者が、自己が行なった診察および施術の正当性を証明するために、監査者の監査結果を用いることもできる。
【発明の効果】
【００２７】
この発明によれば、保険加入者の施術歴等の保険加入者情報と、施術内容の難易度等の施術内容情報と、施術者の事故発生率等の施術者情報とに基づいて、保険料を算定できるため、保険を利用する保険加入者の満足度を向上させることができる。
【発明を実施するための最良の形態】
【００２８】
この発明の一実施形態を以下図面と共に説明する。  
まず、図１に示すシステム構成図と共に、施術損害保険システム１のシステム構成について説明する。  
施術損害保険システム１は、施術損害保険を提供する保険提供者が管理する管理サーバ１０と、インターネット７０を介して通信可能な施術者側端末２０、保険加入者側端末３０、および監査者側端末４０とで構成している。
【００２９】
ここで、施術者側端末２０、保険加入者側端末３０、および監査者側端末４０は複数存在しており、正確には施術損害保険システム１を利用する保険加入者数、施術者数、および監査者数だけ存在している。  
なお、保険加入者側端末３０は本実施例において、保険加入者が所有する端末であるが、保険勧誘員が所持し、保険加入者に保険を勧誘する際に保険加入者が使用できる保険勧誘員用端末であってもよい。
【００３０】
なお、管理サーバ１０はコンピュータであり、ＣＰＵとＲＯＭとＲＡＭで構成される制御装置、ハードディスク等の記憶装置、ＣＤ−ＲＯＭドライブやＦＤドライブ等の記憶媒体（ＣＤ−ＲＯＭやＦＤ等）を読取る記憶媒体読取装置、または記憶媒体読書き装置、マウスやキーボード等の入力装置、ＣＲＴや液晶画面等で構成する表示装置、およびインターネット７０を介して通信を行うＬＡＮボード等の通信装置を備えるとともに、ＷＥＢサーバ機能、データベースサーバ機能、およびメールサーバ機能を備えている。
【００３１】
なお、記憶装置（例えばハードディスク）には保険加入者情報登録プログラムや、施術者情報登録プログラムや、監査者情報登録プログラムや、施術者フィルタリングプログラムや、保険料算定実行プログラムや、保険加入登録プログラムや、電子メール配信実行プログラム等、必要な処理を実行するプログラムを格納するとともに、施術者管理データベース（ＤＢ）１１、保険加入者管理データベース（ＤＢ）１２、保険料管理データベース（ＤＢ）１３、および監査者管理データベース（ＤＢ）１４を記憶している。
【００３２】
施術者管理ＤＢ１１は、施術者情報テーブル、実績情報テーブルおよび保険加入者による施術者評価情報テーブル等を管理している。  
なお、施術とは通常治療、美容整形や歯科治療等の保険外治療、目に異常がないと診察した上でのコンタクトの販売等を含み、施術者とは医師のみならず、病院、診療所等の医療機関、コンタクト販売者等を含む。
【００３３】
また、保険加入者管理ＤＢ１２は、保険加入者の個人情報テーブル、および加入情報テーブルを管理している。  
また、保険料管理ＤＢ１３は、施術内容に関する情報テーブル、基本保険料情報テーブル、性別および年齢別係数情報テーブル、および施術者別係数情報テーブルを管理している。
【００３４】
監査者管理ＤＢ１４によって監査者の情報テーブルを管理している。  
なお、監査者とは、弁護士や専門医等の専門家であり、施術者が行なった診察や施術が適切であるか否かを判断できる者を指す。
【００３５】
施術者側端末２０、保険加入者側端末３０および監査者側端末４０はコンピュータであり、ＣＰＵとＲＯＭとＲＡＭで構成される制御装置、ハードディスク等の記憶装置、ＣＤ−ＲＯＭドライブやＦＤドライブ等の記憶媒体（ＣＤ−ＲＯＭやＦＤ等）を読取る記憶媒体読取装置、または記憶媒体読書き装置、マウスやキーボード等の入力装置、ＣＲＴや液晶画面等で構成する表示装置、およびインターネット７０を介して通信を行うＬＡＮボード等の通信装置とともに、ブラウザ機能とメールの送受信機能とを備えており、ブラウザ機能によって、前記管理サーバ１０のＷＥＢサーバ機能で提供される施術者用ＨＰ、保険加入者用ＨＰまたは監査者用HPにアクセスして、それぞれの情報の登録が実行できる。
【００３６】
また、施術者側端末２０のブラウザ機能によって、前記管理サーバ１０のＷＥＢサーバ機能で提供される施術者用ＨＰにアクセスして、施術者として選択された保険への加入の入力が実行できる。
【００３７】
また、保険加入者側端末３０のブラウザ機能によって、前記管理サーバ１０のＷＥＢサーバ機能で提供される保険加入者用ＨＰにアクセスして、保険料算定条件の入力が実行できるとともに、保険加入の入力が実行できる。
【００３８】
なお、施術者側端末２０、保険加入者側端末３０、および監査者側端末４０のそれぞれは、ＣＰＵとＲＯＭとＲＡＭとで構成する制御装置、不揮発性メモリ等で構成する記憶装置、液晶画面等で構成する表示装置、押下ボタン等で構成する入力装置、マイク等の音声入力装置、スピーカ等の発音装置、および、アンテナ等の通信装置（通信部）を備えた携帯電話端末であってもよい。  
その場合、上記記憶装置には、ブラウザプログラムやメールプログラム等、必要な処理を実行するプログラムを格納していればよい。
【００３９】
以上のシステム構成により、保険加入者は保険加入者側端末３０で管理サーバ１０にアクセスして、保険加入者情報、あるいは施術者評価等の登録や、施術内容監査依頼の指示ができる。
【００４０】
さらに、保険加入者は保険加入者側端末３０で管理サーバ１０にアクセスして、保険料算定条件の入力、および評価等を比較した上で保険の加入ができる。
【００４１】
また、施術者は施術者側端末２０で管理サーバ１０にアクセスして、施術者情報や、実績情報等の登録が実行できる。
【００４２】
さらに、施術者は施術者側端末２０で管理サーバ１０にアクセスして、被選択通知の電子メールを受信でき、受信した電子メールに基いて施術者として選択された保険に加入することができる。  
さらに、監査者は監査者側端末４０で管理サーバ１０にアクセスして、施術者側端末２０からの施術記録情報データを受信できるとともに、監査結果データを送信することができる。
【００４３】
管理サーバ１０は、インターネット７０を介して、保険加入者管理ＤＢ１２への登録を希望する保険加入者の保険加入者情報を取得できるとともに、保険加入者の保険料算定条件の入力を許容し、算定条件に基いて算定した保険料を出力することができる。
【００４４】
また、管理サーバ１０は、インターネット７０を介して、施術者管理ＤＢ１１への登録する施術者の施術者情報や、実績情報等を取得できるとともに、施術者側端末２０に対して、保険加入者が加入した保険に施術者として選択されている被選択通知情報を送信することができる。
【００４５】
次に、図２〜図１１に示すデータ構成図と共に、管理サーバ１０の施術者管理ＤＢ１１、保険加入者管理ＤＢ１２、保険料管理ＤＢ１３、および監査者管理ＤＢ１４に格納するデータについて説明する。  
なお、後述する施術者情報テーブル５１、実績情報管理テーブル５２、および施術者評価管理テーブル５４は施術者管理ＤＢ１１に格納し、保険加入者情報テーブル５３、および加入情報管理テーブル６０は保険加入者管理ＤＢ１２に格納し、施術内容管理テーブル５６、基本保険料管理テーブル５７、性別および年齢別係数管理テーブル５８および該施術者別係数管理テーブル５９は保険加入者管理ＤＢ１３に格納し、監査者情報テーブル５５は監査者管理ＤＢ１４に格納している。
【００４６】
図２は、施術者情報テーブル５１を示し、該施術者情報テーブル５１は次に説明する各項目（フィールド）を備えている。  
施術者ＩＤは、管理サーバ１０が提供する施術者用ＨＰに、施術者がログインに使用する施術者ログインＩＤであり、施術者毎にユニークなＩＤとして、自動的に採番したオートナンバーを格納する。  
施術者名称は、施術者が医師である場合は個人名、病院であれば名称等を格納する。
【００４７】
施術者種別は、診療所や病院等の施術者の種別を格納する。なお、施術者が個人の場合は属する機関の種別を格納する。また、専門には施術者の専門とする分野を格納する。なお、図２に示すように複数の専門分野を格納してもよい  
連絡先、および住所専門には、施術者のそれぞれの情報を格納する。
【００４８】
メールアドレスは施術者側端末２０（図１）に設定した電子メールのアドレスを格納する。  
また、管理サーバ１０が提供する施術者用ＨＰに、施術者がログインに使用する施術者ログインパスワード（図示せず）を格納する。  
以上の構成により、管理サーバ１０は、施術者の情報を管理するが、上記管理情報以外に、その他の適宜の施術者情報を登録してもよい。
【００４９】
図３は、実績情報管理テーブル５２を示し、該実績情報管理テーブル５２は次に説明する各項目を備えている。  
施術者ＩＤは、管理サーバ１０が提供する施術者用ＨＰにログインして実績情報を登録した施術者の施術者ＩＤを格納する。
【００５０】
施術内容ＩＤは、実績登録する施術内容に対応する施術内容管理テーブル５６（図７）に格納された施術内容ＩＤを格納する。  
保険加入は、実績登録する物件が施術損害保険システム１の損害保険に加入していたか否かを、チェックマークで示すようにフラグを立てて格納している。
【００５１】
患者情報は、実績登録する物件の患者に関する情報を格納するが、詳しくは、患者の性別、年齢、施術歴等を格納する。  
施術後情報は、実績登録する物件の術後の情報を格納するが、詳しくは後遺症発生、合併症の発生、およびそれらに伴う賠償実績について格納する。
【００５２】
以上の構成により、管理サーバ１０は、施術者の実績情報を管理するが、上記管理情報以外に、その他の適宜の実績情報を登録してもよい。
【００５３】
図４は、保険加入者情報テーブル５３を示し、該保険加入者情報テーブル５３は次に説明する各項目を備えている。  
保険加入者ＩＤは、管理サーバ１０が提供する保険加入者用ＨＰに、保険加入者がログインに使用する保険加入者ログインＩＤであり、保険加入者毎にユニークなＩＤとして、自動的に採番したオートナンバーを格納する。
【００５４】
氏名、連絡先、および住所には、保険加入者のそれぞれの情報を格納する。  
メールアドレスは保険加入者側端末３０（図１）に設定した電子メールのアドレスを格納する。  
生年月日、性別、血液型、身長および体重には、保険加入者のそれぞれの情報を格納する。
【００５５】
施術歴１〜４は、保険加入者の既往症や治療歴等の施術歴の情報を施術内容とともに格納する。したがって、複数の施術歴を有する非保険者の場合は複数の施術歴を格納する。  
また、管理サーバ１０が提供する保険加入者用ＨＰに、保険加入者がログインに使用する保険加入者ログインパスワード（図示せず）を格納する。  
以上の構成により、管理サーバ１０は、保険加入者の情報を管理するが、上記管理情報以外に、その他の適宜の保険加入者情報を登録してもよい。  
なお、施術歴１〜４は別テーブルとし、いくつでも登録可能に構成してもよい。
【００５６】
図５は、施術者評価管理テーブル５４を示し、該施術者評価管理テーブル５４は次に説明する各項目を備えている。  
加入者ＩＤは、施術者の評価を登録する保険加入者の保険加入者情報テーブル５３に格納された加入者ＩＤを格納する。
【００５７】
施術者ＩＤは、保険加入者が評価する施術者の施術者情報テーブル５１に格納される施術者ＩＤを格納する。
【００５８】
施術内容ＩＤは、施術者評価を行なう施術者から受けた施術内容に対応する施術内容管理テーブル５６（図７）に格納された施術内容ＩＤを格納する。  
患者情報は、対象となる施術を受けた際の本人に関する情報を格納するが、詳しくは、性別、年齢、施術歴等を格納する。  
施術後情報は、対象となる施術の術後の情報を格納するが、詳しくは後遺症発生、合併症の発生、およびそれらに伴う賠償実績について格納する。
【００５９】
総合評価は、後述する各評価に基いて、自動的に計算される評価点数を格納する。なお、総合評価は自動的に計算されずとも、評価者（保険加入者）の主観で、各評価と別個に入力されてよい。また、総合評価点数は１０点を最高評価とし、一点刻みの評価を格納しているが、これに限定されず、後述する各評価点の合計に基づくランク分けされた評価を格納してもよい。
【００６０】
設備、応対、および施術は、それぞれについての保険加入者の５点を満点とする評価点を格納している。なお、本実施例において、設備については設備がきれいかを示すきれい度、設備が充実しているかを示す充実度、および掃除が行き届いているかを示す掃除度を評価項目としている。
【００６１】
また、応対については、全体的な親切さを示す親切度、スタッフによる応対がきっちりなされているかを示すスタッフ、および施術者による応対がきっちりなされているかを示す施術者を評価項目としている。
【００６２】
また、施術については、インフォームドコンセントがきっちりなされたかを示すインフォームドコンセント、投薬量や処方薬量が適切であるかを示す薬量、施術に対する料金が適切であるかを示す料金、および施術後の対応がきっちりなされているかを示すアウターケアを評価項目としている。  
また、総合評価点数は５点を最高評価とし、一点刻みの評価点を格納している。
【００６３】
以上の構成により、管理サーバ１０は、施術を受けた保険加入者による施術者評価を管理するが、上記管理情報以外に、その他の適宜の評価情報を登録してもよい。
【００６４】
図６は、監査者情報テーブル５５を示し、該監査者情報テーブル５５は次に説明する各項目を備えている。  
監査者ＩＤは、管理サーバ１０が提供する監査者用ＨＰに、監査者がログインに使用する監査者ログインＩＤであり、監査者毎にユニークなＩＤとして、自動的に採番したオートナンバーを格納する。
【００６５】
氏名、連絡先、および住所には、監査者のそれぞれの情報を格納する。  
メールアドレスは監査者側端末４０（図１）に設定した電子メールのアドレスを格納する。  
専門には、監査者の専門分野情報を格納する。  
また、管理サーバ１０が提供する監査者用ＨＰに、監査者がログインに使用する監査者ログインパスワード（図示せず）を格納する。
【００６６】
以上の構成により、管理サーバ１０は、監査者の情報を管理するが、上記管理情報以外に、その他の適宜の監査者情報を登録してもよい。
【００６７】
なお、本実施例において、上記施術者情報テーブル５１から監査者情報テーブル５５に格納する各項目は、管理サーバ１０の上記各HP内で入力フォームを提供し、施術者側端末２０、保険加入者側端末３０あるいは監査者側端末４０からの入力を受付け、上記各情報登録プログラムにより自動登録する構成としているが、施術者、保険加入者、あるいは監査者のそれぞれから申し込み用紙を受け取って手入力する等、適宜の方法で登録する構成であってもよい
図７は、施術内容管理テーブル５６を示し、該施術内容管理テーブル５６は次に説明する各項目を備えている。  
カテゴリＩＤは、施術内容をカテゴリ毎に区分けした際のカテゴリのユニークなＩＤを格納する。  
カテゴリは、施術内容を区分けする際の大枠の名称を格納する。
【００６８】
施術コードと施術内容は、カテゴリ内の詳細な施術内容とユニークなコードを格納する。  
なお、施術内容ＩＤは、カテゴリＩＤと施術コードとの組合わせによって構成している。
【００６９】
保険外治療は、当該施術内容が国民健康保険の対象となっているか否かについて、チェックマークで示すようにフラグを立てて格納している。  
算定基準係数（難易度）は、施術内容の難易度を示すとともに、保険料を算定する際に、後述する基本保険料に乗じる施術内容毎の係数を格納している。
【００７０】
担保期間は、施術内容毎の施術後の保険賠償に関する担保期間を格納している。
【００７１】
以上の構成により、施術内容情報を管理する。  
なお、この施術内容管理テーブル５６は、施術損害保険システム１の管理者である損害保険提供者が登録しているが、第三者が提供する施術内容情報を自動登録しても良い。
【００７２】
図８は、基本保険料管理テーブル５７を示し、該基本保険料管理テーブル５７は次に説明する各項目を備えている。  
基本保険料管理テーブル５７は、Ａ、Ｂ、およびＣで構成され、そのそれぞれは賠償上限額とそれに対応する基本保険料を格納している。なお、本実施例において、Ａは１０万から９９万の賠償上限額に対応する基本保険料、Ｂは１００万から９００万の賠償上限額に対応する基本保険料、Ｃは１０００万から９０００万の賠償上限額に対応する基本保険料のそれぞれを格納している  
以上の構成により、管理サーバ１０は基本保険料を管理する。  
なお、各Ａ、Ｂ、およびＣを組み合わせることによって、保険加入者の希望する賠償上限額に対応する基本保険料を算定することができる。
【００７３】
図９は、性別および年齢別係数管理テーブル５８を示し、該性別および年齢別係数管理テーブル５８は次に説明する各項目を備えている。  
施術内容ＩＤは、施術内容管理テーブル５６に格納された施術内容に対応する施術内容ＩＤを格納し、性別および年齢別係数管理テーブル５８の行の名称（最上行）には、性別ごとの年齢区分を格納している。
【００７４】
また、表中には、施術内容毎の各性別および年齢区分に応じた基本保険料に乗じる係数を格納する。  
以上の構成により、管理サーバ１０は施術内容毎の各性別および年齢区分に応じた基本保険料に乗じる係数を管理する。
【００７５】
図１０は、施術者別係数管理テーブル５９を示し、該施術者別係数管理テーブル５９は次に説明する各項目を備えている。  
施術者ＩＤは、施術者情報テーブル５１（図２）に格納された施術者に対応する施術者ＩＤを格納し、該施術者別係数管理テーブル５９の行の名称（最上行）には、施術内容管理テーブル５６に格納された施術内容毎の施術内容ＩＤを格納している。
【００７６】
また、表中には、施術者毎の各施術内容に応じた基本保険料に乗じる係数を格納する。  
以上の構成により、管理サーバ１０は施術者毎の各施術内容に応じた基本保険料に乗じる係数を管理する。
【００７７】
図１１は、加入情報管理テーブル６０を示し、該加入情報管理テーブル６０は次に説明する各項目を備えている。  
加入ＩＤは、保険加入者が加入した損害保険毎にユニークなＩＤとして、自動的に採番したオートナンバーを格納する。  
加入日は、保険加入者が保険加入者側端末３０から管理サーバ１０アクセスして損害保険に加入した日を格納する。  
保険加入者ＩＤ、施術内容ＩＤ、および施術者ＩＤは、保険加入者情報テーブル５３、施術内容管理テーブル５６、ならびに施術者情報テーブル５１のそれぞれに格納されたそれぞれのＩＤを格納する。  
施術予定日は、損害保険に保険加入時の施術予定日を格納する。
【００７８】
保険料は管理サーバ１０が算定した保険料の情報を格納する。  
担保期間は、施術内容管理テーブル５６に格納された施術内容毎に定められた担保期間に基づいて担保期間最終日を格納し、既に担保期間が終了した場合には、チェックマークで示すようにフラグを立てて格納している。
【００７９】
賠償は、当該加入された損害保険での賠償があった場合に、賠償金額を格納している。  
備考は、施術者として選択された被選択保険に施術者が保険料負担あるいは割増し加入を行なった場合にその旨を格納する。
【００８０】
以上の構成により、管理サーバ１０は、損害保険についての加入情報を管理するが、上記管理情報以外に、その他の適宜の保険加入者情報を登録してもよい。  
また、これらの管理する基本保険料、および各登録情報に基づいて適切な保険料を算定することができる。
【００８１】
なお、施術歴と施術内容との関係に対応する施術内容別施術歴係数を設けて、保険料算定基準に組み入れてもよい。  
さらに、施術を受ける保険加入者の体型や血液型等の体質情報と施術内容との関係に対応する施術内容別体質係数を設けて、保険料算定基準に組み入れてもよい。  
これにより、さらに適切な保険料を算定することができ、保険加入者等の満足度を向上することができる。
【００８２】
次に、保険加入者が施術損害保険システム１が提供する損害保険に新たに加入するための保険加入処理について、図１２から図１４に示すフローチャートと共に詳述する。  
保険加入者の操作によって施術者側端末２０が管理サーバ１０の提供する保険加入者用ＨＰのＵＲＬへアクセスすると（ステップｕ１）、管理サーバ１０はトップ画面データを保険加入者側端末３０のブラウザにあわせた形式のデータ（ＨＴＭＬやＨＤＭＬ等）で送信し（ステップｕ２）、保険加入者側端末３０は、受信したトップ画面データによる保険加入者用トップ画面をモニタ３１（図１）に表示する（ステップｕ３）。
【００８３】
この保険加入者用トップ画面で、保険加入者によって既既加入保険一覧ボタン１０５が押下されると（ステップｕ４）、管理サーバ１０は、既加入保険一覧画面データを保険加入者側端末３０のブラウザに合わせたデータ形式で送信する（ステップｕ５）。
【００８４】
保険加入者側端末３０は、受信した既加入保険一覧画面データに基づいて、既加入保険一覧画面（図示せず）をモニタ３１（図１）に表示する（ステップｕ６）。
【００８５】
この既加入保険一覧画面で新規加入ボタンが押下されると（ステップｕ７）、管理サーバ１０は、新規加入のための施術内容決定画面データを保険加入者側端末３０のブラウザに合わせたデータ形式で送信する（ステップｕ８）。
【００８６】
保険加入者側端末３０は、受信した施術内容決定画面データに基づいて、施術内容決定画面（図示せず）をモニタ３１（図１）に表示する（ステップｕ９）。
【００８７】
この施術内容決定画面で、カテゴリ選択プルダウンボタンが選択された後に参照ボタンが押下されると（ステップｕ１０：Ｙｅｓ）、施術内容参照画面データを保険加入者側端末３０のブラウザに合わせたデータ形式で送信し（ステップｕ１１）、保険加入者側端末３０は、受信した施術内容参照画面データに基づいて施術内容参照画面をモニタ３１（図１）に表示する（ステップｕ１２）。
【００８８】
この施術内容決定画面で、施術内容ＩＤ入力テキストボックスに直接、施術内容ＩＤが入力されて（ステップｕ１０：Ｎｏ）、あるいは施術内容参照画面で選択チェックボックスにチェックされた後に戻るボタンが押下されて、施術内容ＩＤ入力テキストボックスに選択された施術内容ＩＤ表示が入力された状態の施術内容決定画面に移行した後（ステップｕ１３）、施術者選択ボタンが押下されると、保険加入者側端末３０は施術内容選択情報を管理サーバ１０に送信する。
【００８９】
施術内容選択情報を受信した管理サーバ１０は、施術者選択トップ画面データを保険加入者側端末３０のブラウザに合わせたデータ形式で送信し、保険加入者側端末３０は、受信した施術者選択トップ画面データに基づいて、施術者選択トップ画面をモニタ３１（図１）に表示する。
【００９０】
この施術者選択トップ画面で施術者決定済の場合ボタンが押下されると（ステップｕ１４：Ｙｅｓ）、管理サーバ１０は、決定済施術者検索画面データを保険加入者側端末３０のブラウザに合わせたデータ形式で送信する（ステップｕ１５）。
【００９１】
保険加入者側端末３０は、受信した決定済施術者検索画面データに基づいて、図１５の画面イメージ図に示すように、決定済施術者検索画面２１０をモニタ３１（図１）に表示する（ステップｕ１６）。  
このとき表示する決定済施術者検索画面２１０には、検索条件入力テキストボックス２１１（２１１ａ、２１１ｂ、２１１ｃ）、検索ボタン２１２、戻るボタン２１３、およびＴＯＰボタン２１４を表示する。
【００９２】
検索条件入力テキストボックス２１１は、検索条件を入力するテキストボックスであり、本実施例においては検索条件入力テキストボックス２１１ａを住所、検索条件入力テキストボックス２１１ｂを電話番号、および検索条件入力テキストボックス２１１ｃを施術者名を入力するよう設定している。  
検索ボタン２１２は、検索条件入力テキストボックス２１１の検索条件に基づいて施術者を検索した結果を表示する検索結果表示画面に移行するボタンである。
【００９３】
戻るボタン２１３は、直前の施術者選択トップ画面に移行するボタンであり、ＴＯＰボタン２１４は、保険加入者用トップ画面に移行するボタンである。
【００９４】
この決定済施術者検索画面２１０で検索条件入力テキストボックス２１１ａ〜２１１ｃのうちいずれかに検索条件が入力された後に検索ボタン２１２が押下されると（ステップｕ１７）、保険加入者側端末３０は管理サーバ１０に検索条件データを管理サーバ１０に送信する。検索条件データを受信した管理サーバ１０は、上記施術者フィルタリングプログラムにより施術者情報テーブル５１から該当する施術者を抽出し、対応する施術者情報とともに、検索結果表示画面データを保険加入者側端末３０のブラウザに合わせたデータ形式で送信し、保険加入者側端末３０は、受信した検索結果表示画面データに基づいて、図１６に示すように、検索結果表示画面２２０をモニタ３１（図１）に表示する。
【００９５】
このとき表示する検索結果表示画面２２０には、検索結果一覧表示部２２１、保険料算定ボタン２２２、戻るボタン２２３、およびＴＯＰボタン２２４を表示する。  
検索結果一覧表示部２２１は、決定済施術者検索画面２１０で入力した検索条件に該当する施術者の一覧と、各行に選択チェックボックス２２１ａを表示する。
【００９６】
保険料算定ボタン２２２は、選択チェックボックス２２１ａの選択後、当該施術者における保険料の算定結果表示画面に移行するボタンである。  
戻るボタン２２３は、直前の決定済施術者検索画面２１０（図１５）に移行するボタンであり、ＴＯＰボタン２０３は、保険加入者用トップ画面に移行するボタンである。
【００９７】
この検索結果表示画面２２０で選択チェックボックス２２１ａのいずれかにチェックがなされた後に保険料算定ボタン２２２が押下されると（ステップｕ２０）、管理サーバ１０は、検索結果表示画面２２０で選択された施術者と、施術者管理ＤＢ１１から保険料管理ＤＢ１３に格納された情報とに基づいて、上記保険料算定実行プログラムにより保険料を算定し、その算定された保険料情報とともに保険料算定結果表示画面データを保険加入者側端末３０のブラウザに合わせたデータ形式で送信し、保険加入者側端末３０は、受信した検索結果表示画面データに基づいて、図１７に示すような保険料算定結果表示画面２３０をモニタ３１（図１）に表示する。
【００９８】
この保険料算定結果表示画面２３０には、算定保険料表示部２３１、保険加入者情報、施術内容および施術者の情報表示部２３２、保険料施術者負担希望チェックボックス２３３、加入申込ボタン２３４、加入者情報修正ボタン２３５、施術内容修正ボタン２３６、施術者修正ボタン２３７、戻るボタン２３８、およびＴＯＰボタン２３９を表示する。
【００９９】
算定保険料表示部２３１は、施術内容および施術者の情報表示部２３２に表示する条件に基づいて管理サーバ１０が算定した保険料を表示する部分である。  
施術内容および施術者の情報表示部２３２は、算定保険料表示部２３１を算定するための保険加入者情報、施術内容および施術者情報等を表示する部分である。
【０１００】
保険料施術者負担希望チェックボックス２３３は、当該損害保険で指定した施術者に、管理サーバ１０が通知する被選択保険情報に、上記算定保険料の一部負担を希望することを選択するチェックボックスである。  
加入申込ボタン２３４は、上記条件での保険加入を指示する保険加入画面に移行するボタンである。
【０１０１】
加入者情報修正ボタン２３５、施術内容修正ボタン２３６、および施術者修正ボタン２３７は、それぞれの条件を修正するための修正画面に移行するボタンである。  
戻るボタン２３８は、直前の検索結果表示画面２２０（図１６）に移行するボタンであり、ＴＯＰボタン２３９は、保険加入者用トップ画面に移行するボタンである。
【０１０２】
この保険料算定結果表示画面２３０で加入申込ボタン２３４が押下されると（ステップｕ２３）、管理サーバ１０は、上記保険加入登録プログラムにより損害保険加入情報を加入情報管理テーブル６０（図１１）に登録する（ステップｕ２４）。
【０１０３】
前記ステップｕ１４で、保険加入の際に施術者が未定である場合は、施術者選択トップ画面で施術者未決定の場合ボタンを押下する（ステップｕ１４：Ｎｏ）。  
これにより、管理サーバ１０は、抽出条件入力画面データを保険加入者側端末３０のブラウザに合わせたデータ形式で送信し、保険加入者側端末３０は、受信した抽出条件入力画面データに基づいて、図１８に示すような抽出条件入力画面２４０をモニタ３１（図１）に表示する。
【０１０４】
このとき表示する抽出条件入力画面２４０には、抽出条件入力テキストボックス２４１（２４１ａ、２４１ｂ、２４１ｃ）、表示方法選択ラジオボタン２４２、抽出結果表示数選択プルダウンボタン２４３、抽出ボタン２４４、戻るボタン２４５、およびＴＯＰボタン２４６を表示する。
【０１０５】
抽出条件入力テキストボックス２４１は、抽出条件を入力するテキストボックスであり、本実施例においては所在地で抽出するように抽出条件入力テキストボックス２４１ａを地域名入力テキストボックス、抽出条件入力テキストボックス２４１ｂを県名入力テキストボックス、および抽出条件入力テキストボックス２４１ｃを市名入力テキストボックスに設定している。
【０１０６】
表示方法選択ラジオボタン２４２は、抽出条件入力テキストボックス２４１の抽出条件に基づいて抽出された施術者の表示順序を選択するラジオボタンである。本実施例においては評価順に表示することを選択するラジオボタンと、保険加入者の住所から近い順に表示することを選択するラジオボタンを設定しているが、これに限定されず、保険料の高い、あるいは低い順に表示するよう設定してもよい。
【０１０７】
抽出結果表示数選択プルダウンボタン２４３は、抽出条件入力テキストボックス２４１の抽出条件に基づいて施術者を抽出した結果を表示方法選択ラジオボタン２４２で選択した順で表示する際に、該当する施術者のうち一度に表示する施術者の数を選択するプルダウンボタンである。
【０１０８】
検索ボタン２４４は、抽出条件入力テキストボックス２４１の抽出条件に基づいて施術者を抽出した結果を表示方法選択ラジオボタン２４２で選択した順で、抽出結果表示数選択プルダウンボタン２４３で選択した数だけ一度に表示し、施術者を選択できる施術者選択画面に移行するボタンである。  
戻るボタン２４５は、直前の施術者選択トップ画面に移行するボタンであり、ＴＯＰボタン２４６は、保険加入者用トップ画面に移行するボタンである。
【０１０９】
この抽出条件入力画面２４０で抽出条件入力テキストボックス２４１ａ〜２４１ｃのうちいずれかに抽出条件が入力され、表示方法選択ラジオボタン２４２および抽出結果表示数選択プルダウンボタン２４３が選択された後に抽出ボタン２４４が押下されると（ステップｕ１００）、管理サーバ１０は、上記施術者フィルタリングプログラムにより施術者を抽出するとともに、抽出された各施術者と、施術者管理ＤＢ１１から保険料管理ＤＢ１３に格納された情報とに基づいてそれぞれの保険料を算定する。さらに、管理サーバ１０は、その算定された保険料情報とともに施術者選択画面データを保険加入者側端末３０のブラウザに合わせたデータ形式で送信し（ステップｕ１０１）、保険加入者側端末３０は、受信した施術者選択画面データに基づいて、図１９に示すように、施術者選択画面２５０をモニタ３１（図１）に表示する（ステップｕ１０２）。
【０１１０】
このとき表示する施術者選択画面２５０には、抽出結果一覧表示部２５１、保険料施術者負担希望チェックボックス２５２、加入申込ボタン２５３、加入者情報修正ボタン２５４、施術内容修正ボタン２５５、施術者修正ボタン２５６、戻るボタン２５７、およびＴＯＰボタン２５８を表示する。
【０１１１】
抽出結果一覧表示部２５１は、表示方法選択ラジオボタン２４２（図１８）で選択された順番に、抽出結果表示数選択プルダウンボタン２４３（図１８）で設定された数の抽出条件入力テキストボックス２４１（図１８）で設定した抽出条件によって抽出された施術者と、各行に選択チェックボックス２５１ａを表示する。  
なお、本実施例においては、抽出された施術者の名称、住所、事故歴、施術実績、評価、および管理サーバ１０が上記保険料算定実行プログラムで算定した算定保険料を表示する。
【０１１２】
保険料施術者負担希望チェックボックス２５２は、当該損害保険で指定した施術者に、管理サーバ１０が通知する被選択保険情報に、上記算定保険料の一部負担を希望することを選択するチェックボックスである。  
加入申込ボタン２５３は、上記条件での保険加入を指示する保険加入画面に移行するボタンである。
【０１１３】
加入者情報修正ボタン２５４、施術内容修正ボタン２５５、および施術者修正ボタン２５６は、それぞれの条件を修正するための修正画面に移行するボタンである。  
戻るボタン２５７は、直前の検索結果表示画面２２０（図１６）に移行するボタンであり、ＴＯＰボタン２５８は、施術者用トップ画面に移行するボタンである。
【０１１４】
この施術者選択画面２５０で、選択された施術者の選択チェックボックス２５１ａにチェックされた後に加入申込ボタン２５３が押下されると（ステップｕ２３）、管理サーバ１０は、上記保険加入登録プログラムにより損害保険加入情報を加入情報管理テーブル６０（図１１）に登録する（ステップｕ２４）。  
以上の動作により、保険加入者はインターネット７０を介して保険加入者側端末３０から所望の損害保険に加入することができる。
【０１１５】
また、保険加入者は一度登録した加入者情報を用いて、保険料算定ならびに保険加入ができるため、保険加入や保険料算定のための手間を省くことができる。  
さらに、決定済の施術者を容易に検索して、保険料算定および保険加入ができる。また、保険料の負担を希望する旨を施術者に通知することができ、保険加入者の満足度が向上する。
【０１１６】
また、施術者選択画面２５０の抽出結果一覧表示部２５１表示内容を確認することによって、保険加入者は施術者の評価や事故歴とを確認した上で、算定した保険料を考慮して保険に加入することができる。  
したがって、施術を受ける施術者を決定する際の判断基準を得ることができる。
【０１１７】
次に、保険加入者が加入した施術損害保険システム１が提供する損害保険の施術者として指定されている被選択保険通知を受け取った施術者が、その損害保険に加入するための被選択保険加入処理について、図２０および図２１に示すフローチャートと共に詳述する。
【０１１８】
保険加入者の加入を受け付けた管理サーバ１０は、電子メール配信実行プログラムによりその加入を受け付けた損害保険の施術者として指定されている旨を通知する被選択保険通知メールを当該施術者に送信する（ステップｖ１）。
【０１１９】
被選択保険通知メールを受信した施術者側端末２０（ステップｖ２）は、施術者の操作によって管理サーバ１０の提供する施術者用ＨＰのＵＲＬへアクセスし（ステップｖ３）、管理サーバ１０はトップ画面データを施術者側端末２０のブラウザにあわせた形式のデータ（ＨＴＭＬやＨＤＭＬ等）で送信し（ステップｖ４）、施術者側端末２０は、受信したトップ画面データによる施術者用トップ画面をモニタ２１（図１）に表示する（ステップｖ５）。
【０１２０】
この施術者用トップ画面で、施術者によって被選択保険一覧ボタンが押下されると（ステップｖ６）、管理サーバ１０は、被選択保険一覧画面データを施術者側端末２０のブラウザに合わせたデータ形式で送信する（ステップｖ７）。
【０１２１】
施術者側端末２０は、受信した被選択保険一覧画面データに基づいて、図２２の画面イメージ図に示すように、被選択保険一覧画面２６０をモニタ２１（図１）に表示する（ステップｖ６）。
【０１２２】
このとき表示する被選択保険一覧画面２６０には、被選択保険一覧表示部２６１、戻るボタン２６２、ＴＯＰボタン２６３、および利用規約ボタン２６４を表示する。  
なお、被選択保険一覧表示部２６１の各行には、被加入日等の表示部と新着表示部２６１ａと詳細ボタン２６１ｂを表示する。
【０１２３】
ここで、新着表示部２６１ａは新規の被選択保険であることを示すチェックを表示する部分である。  
詳細ボタン２６１ｂは、保険加入者によって施術者として選択された被選択保険の詳細内容を表示する被選択保険詳細表示画面に移行するボタンである。
【０１２４】
戻るボタン２６２は、直前の施術者用トップ画面に移行するボタンであり、ＴＯＰボタン２６３、および利用規約ボタン２６４は、保険加入者用トップ画面に表示された利用規約ボタンおよびＴＯＰボタンと同様のボタンである。
【０１２５】
この被選択保険一覧画面２６０で詳細ボタン２６１ｂが押下されると（ステップｖ９）、管理サーバ１０は、被選択保険詳細画面データを施術者側端末２０のブラウザに合わせたデータ形式で送信する（ステップｖ１０）。
【０１２６】
施術者側端末２０は、受信した被選択保険詳細画面データに基づいて、図２３の画面イメージ図に示すように、被選択保険詳細画面２７０をモニタ２１（図１）に表示する（ステップｖ１１）。
【０１２７】
このとき表示する被選択保険詳細画面２７０には、被選択保険内容詳細表示部２７１、加入申込ボタン２７２、戻るボタン２７３、ＴＯＰボタン２７４、および利用規約ボタン２７５を表示する。
【０１２８】
被選択保険内容詳細表示部２７１は、保険加入者等の被選択保険の保険内容の詳細を表示する部分であり、最下段に保険加入者が加入時に保険料算定結果表示画面２３０の保険料施術者負担希望チェックボックス２３３にチェックを入れて保険料負担を希望するか否かについての保険料負担希望表示部２７１ａを表示する。
【０１２９】
加入申込ボタン２７２は、施術者が被選択保険に加入する被選択保険加入画面に移行するボタンである。  
戻るボタン２７３は、直前の被選択保険一覧画面２６０（図２２）に移行するボタンであり、ＴＯＰボタン２７４、および利用規約ボタン２７５は、被選択保険一覧画面２６０に表示されたＴＯＰボタン２６３および利用規約ボタン２６４と同様のボタンである。
【０１３０】
この被選択保険詳細画面２７０で、加入申込ボタン２７２が押下されると（ステップｖ１２）、管理サーバ１０は、被選択保険加入画面データを施術者側端末２０のブラウザに合わせたデータ形式で送信し、施術者側端末２０は、受信した被選択保険加入画面データに基づいて、図２４に示すように、被選択保険加入画面２８０をモニタ２１（図１）に表示する。
【０１３１】
このとき表示する被選択保険加入画面２８０には、保険料負担加入部２８１、割増加入部２８２、保険加入者に通知する選択チェックボックス２８３、加入ボタン２８４、戻るボタン２８５、およびＴＯＰボタン２８６を表示する。  
保険料負担加入部２８１は、被選択保険に施術者が保険料負担加入する際に加入条件を入力する部分であり、負担割合選択プルダウンボタン２８１ａ、および負担金額入力テキストボックス２８１ｂを表示する。
【０１３２】
負担割合選択プルダウンボタン２８１ａは、例えば５％間隔で負担割合を選択できるように構成している。負担金額入力テキストボックス２８１ｂは負担金額を入力するテキストボックスである。なお、負担割合選択プルダウンボタン２８１ａと負担金額入力テキストボックス２８１ｂとはいずれか一方のみの入力を許容する構成としている。
【０１３３】
割増加入部２８２は、被選択保険に施術者が割増して保険加入する際に加入条件を入力する部分であり、割増割合選択プルダウンボタン２８２ａ、および割増金額入力テキストボックス２８２ｂを表示する。
【０１３４】
割増割合選択プルダウンボタン２８２ａは、例えば５％間隔で割増割合を選択できるように構成している。割増金額入力テキストボックス２８２ｂは割増金額を入力するテキストボックスである。なお、割増割合選択プルダウンボタン２８２ａと割増金額入力テキストボックス２８２ｂとはいずれか一方のみの入力を許容する構成としている。
【０１３５】
また、保険料負担加入部２８１と割増加入部２８２とは、いずれか一方、また両方の入力を許容する構成としている。したがって、保険料負担加入部２８１と割増加入部２８２とが両方入力された場合は、施術者は保険料負担加入に加えて割増加入することができる。
【０１３６】
選択チェックボックス２８３は、施術者が被選択保険に加入したことを保険加入者に通知することを管理サーバ１０に対して指示するチェックボックスである。  
加入ボタン２８４は、保険料負担加入部２８１および／または割増加入部２８２の入力内容での被選択保険への加入を管理サーバ１０に対して指示するボタンである。
【０１３７】
戻るボタン２８５は、直前の被選択保険詳細画面２７０（図２３）に移行するボタンであり、ＴＯＰボタン２８６は、施術者用トップ画面に移行するボタンである。
【０１３８】
この被選択保険加入画面２８０で，保険料負担加入部２８１および／または割増加入部２８２が入力され、加入ボタン２８４が押下されると、施術者側端末２０は被選択保険加入情報を管理サーバ１０に送信する（ステップｖ１５）。
【０１３９】
受信した被選択保険加入情報に保険加入者への通知希望情報が含まれる場合（ステップｖ１６：Ｙｅｓ）、管理サーバ１０は、電子メール配信実行プログラムにより施術者が保険料負担加入および／または割増加入したことを該当する保険加入者に電子メールで送信する（ステップｖ１７）。
【０１４０】
施術者加入情報の送信後、あるいは受信した被選択保険加入情報に保険加入者への通知希望情報が含まれない場合（ステップｖ１６：Ｎｏ）、管理サーバ１０は受信した被選択保険加入情報を保険加入登録プログラムにより加入情報管理テーブル６０（図１１）に登録する（ステップｖ１８）。
【０１４１】
以上の動作により、施術者は、施術前に施術対象が損害保険に加入していることを知ることができるとともに、当該損害保険に保険料負担加入および／または割増加入を選択した加入することができる。
【０１４２】
さらに、当該損害保険に保険料負担加入および／または割増加入を選択した加入することを保険加入者に通知できるため、保険加入者に対して提供するサービスとして保険加入者にアピールすることができる。
【０１４３】
なお、施術損害保険システム１では、施術後あるいは施術前に施術内容や施術方法について、監査者の監査を受けることができる。  
例えば、施術後の施術内容について保険加入者が監査者の監査を希望する場合、保険加入者の操作によって保険加入者側端末３０（図１）が管理サーバ１０（図１）に対して、監査依頼情報データを送信する。監査依頼情報データを受信した管理サーバ１０は、施術者側端末２０（図１）に対して施術記録情報データを少なくとも監査者側端末４０（図１）に送信するように施術記録送信命令データを送信する。該施術記録送信命令データを受信した施術者側端末２０は、該当する施術記録情報データを監査者側端末４０に送信する。
【０１４４】
監査者側端末４０は、受信した該施術記録情報データに基づいて該施術記録情報をモニタ４１に出力する。  
以上の動作によって、モニタ４１（図１）に出力された施術記録情報に基づいて、監査者は、当該施術内容の妥当性等を判断することができる。
【０１４５】
また、監査者の操作によって監査結果データを監査者側端末４０から、管理サーバ１０、施術者側端末２０ならびに保険加入者側端末３０のいずれかに送信することができる。保険加入者側端末３０等は受信した監査結果データに基づいて監査結果をモニタ３１（図１）に出力することができる。
【０１４６】
以上の動作により、保険加入者は出力された監査結果に基づいて自己が受けた施術が適切であったか否かについて専門的第三者の判断を仰ぐことができる。  
また、管理サーバ１０を管理する損害保険提供者は、上記監査結果に基づいて施術者を評価するとともに、賠償金支払の際の判断材料とすることや、該当する施術者に関する保険料算定のための各係数の修正することができる。
【０１４７】
また、施術者から自己の診察および施術の正当性を証明するために、監査者の監査結果を用いることもできる。  
したがって、施術者、保険加入者、ならびに損害保険提供者のいずれにも、施術内容や診察の妥当性についての専門的第三者の判断を利用でき、施術損害保険システム１を利用するものの、満足度を向上することができる。
【０１４８】
また、施術損害保険システム１では、実績情報管理テーブル５２（図３）に格納された施術者の施術実績情報のうち、被選択保険での施術後情報に基づき、例えば、被選択保険の合計保険料が予め設定した基準を超えるとともに、賠償が発生していない施術者に対して、褒章金や被選択保険に加入の際の保険料割引等の優遇条件を付与することができる。
【０１４９】
この場合、管理サーバ１０は、実績情報管理テーブル５２に格納された施術者の施術実績情報から被選択保険における施術後情報を抽出し、賠償実績のない被選択保険の保険料合計と、予め設定した基準金額とを比較する。
【０１５０】
保険料合計が上記基準金額を超える場合は、施術者側端末２０に対して、上記優遇条件に基づく優遇条件データを施術者側端末２０に送信する。施術者側端末２０は、受信した優遇条件データに基づいて、優遇条件をモニタ２１（図１）に出力する。
【０１５１】
以上の動作によって、自己の賠償の生じていない施術実績に基づいて、施術者は優遇を享受することができる。また、施術者は、モニタ２１に出力された優遇条件を確認することができるため、今後の施術に対しても、賠償が生じないよう施術することに勤める。
【０１５２】
なお、施術損害保険システム１において、実績情報管理テーブル５２に格納された施術者の施術実績情報のうち、被選択保険での施術後情報に基づき、例えば、合計賠償額が予め設定した基準を超える施術者に対して、被選択保険に加入の際の保険料割増等の冷遇条件を付与する構成であってもよい。
【０１５３】
また、上記優遇条件や冷遇条件を受けた実績を施術者選択画面２５０（図１９）の抽出結果一覧表示部２５１に表示してもよい。  
これにより、例えば、保険加入者は優遇条件を受けた実績のある施術者を選択する等の判断条件を増加させるとともに、優遇条件を受けたことのある施術者にとって有効な広告効果を得ることができるため、施術損害保険システム１を利用する保険加入者および施術者の満足度を向上させることができる。
【０１５４】
この発明の構成と、上述の実施形態との対応において、
保険料算定システムは、施術損害保険システム１に対応し、
以下同様に、
管理サーバは、管理サーバ１０に対応し、
施術者情報記憶手段は、施術者管理ＤＢ１１に対応し、
施術内容記憶手段、保険料管理ＤＢ１３に対応し、
第三者機関側端末は、監査者側端末４０に対応し、
賠償実績情報記憶手段、実績情報管理テーブル５２および加入情報管理テーブル６０に対応し、
電気通信回線は、インターネット７０に対応し、
算出結果出力手段は、抽出結果一覧表示部２５１に対応し、
保険料出力手段は、抽出結果一覧表示部２５１に対応し、
保険加入者情報受付手段、保険加入者情報テーブル５３およびステップｓ１３に対応し、
施術者情報出力手段は、抽出結果一覧表示部２５１およびステップｕ１０１に対応し、
施術者指定手段、選択チェックボックス２５１ａおよびステップｕ２３に対応し、
被選択通知出力手段は、被選択保険一覧表示部２６１およびステップｖ２に対応し、
施術者加入指示手段は、加入申込ボタン２７２およびステップｖ１５に対応し、
施術内容指定手段は、ステップｕ１３に対応し、
算出結果受信手段、ステップｕ２２およびステップｕ１０２に対応し、
保険料算定結果送信手段は、ステップｕ１０１に対応し、
算定手段は、ステップｕ２１およびステップｕ１０１に対応し、
選択情報送信手段は、ステップｕ２３に対応し、
選択情報受信手段、ステップｕ２４に対応し、
被選択通知を通知する通知手段は、ステップｖ１に対応し、
被選択通知受信手段、ステップｖ２に対応し、
に対応するも、
この発明は、上述の実施形態の構成のみに限定されるものではなく、多くの実施の形態を得ることができる。
【図面の簡単な説明】
【０１５５】
【図１】施術損害保険システムのシステム構成図。
【図２】施術者情報テーブルのデータ構成図。
【図３】実績情報管理テーブルのデータ構成図。
【図４】保険加入者情報テーブルのデータ構成図。
【図５】施術者評価管理テーブルのデータ構成図。
【図６】監査者情報テーブルのデータ構成図。
【図７】施術内容管理テーブルのデータ構成図。
【図８】基本保険料管理テーブルのデータ構成図。
【図９】性別および年齢別係数管理テーブルのデータ構成図。
【図１０】該施術者別係数管理テーブルのデータ構成図。
【図１１】加入情報管理テーブルのデータ構成図。
【図１２】保険加入処理のフローチャート。
【図１３】保険加入処理のフローチャート。
【図１４】保険加入処理のフローチャート。
【図１５】決定済施術者検索画面の画面イメージ図。
【図１６】検索結果表示画面の画面イメージ図。
【図１７】保険料算定結果表示画面の画面イメージ図。
【図１８】抽出条件入力画面の画面イメージ図。
【図１９】施術者選択画面の画面イメージ図。
【図２０】被選択保険加入処理のフローチャート。
【図２１】被選択保険加入処理のフローチャート。
【図２２】被選択保険一覧画面の画面イメージ図。
【図２３】被選択保険詳細画面の画面イメージ図。
【図２４】被選択保険加入画面の画面イメージ図。
【符号の説明】
【０１５６】
１…施術損害保険システム
１０…管理サーバ
１１…施術者管理ＤＢ
１３…保険料管理ＤＢ
２０…施術者側端末
３０…保険加入者側端末
４０…監査者側端末
５２…実績情報管理テーブル
５３…保険加入者情報テーブル
６０…加入情報管理テーブル
７０…インターネット
２５１…抽出結果一覧表示部
２５１ａ…選択チェックボックス
２６１…被選択保険一覧表示部
２７２…加入申込ボタン
【図１】
2007011915.tif 000003
【図２】
2007011915.tif 000004
【図３】
2007011915.tif 000005
【図４】
2007011915.tif 000006
【図５】
2007011915.tif 000007
【図６】
2007011915.tif 000008
【図７】
2007011915.tif 000009
【図８】
2007011915.tif 000010
【図９】
2007011915.tif 000011
【図１０】
2007011915.tif 000012
【図１１】
2007011915.tif 000013
【図１２】
2007011915.tif 000014
【図１３】
2007011915.tif 000015
【図１４】
2007011915.tif 000016
【図１５】
2007011915.tif 000017
【図１６】
2007011915.tif 000018
【図１７】
2007011915.tif 000019
【図１８】
2007011915.tif 000020
【図１９】
2007011915.tif 000021
【図２０】
2007011915.tif 000022
【図２１】
2007011915.tif 000023
【図２２】
2007011915.tif 000024
【図２３】
2007011915.tif 000025
【図２４】
2007011915.tif 000026
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
保険に加入する保険加入者が利用できる保険加入者側端末を、加入された保険を管理する管理サーバに電気通信回線を介して通信可能に接続した保険料算定システムであって、
前記保険加入者側端末に、
自己の性別や施術歴等の保険加入者情報の入力を許容する保険加入者情報入力手段と、
複数の施術者の指定を許容する施術者指定手段と、
施術内容の指定を許容する施術内容指定手段と、
前記保険加入者情報と、前記施術内容指定手段で指定された指定施術内容情報と、前記施術者指定手段で指定された指定施術者情報とを保険料算定条件として前記管理サーバに送信する算定条件情報送信手段とを備え、
前記管理サーバに、
施術内容毎の施術実績等の施術者に関する施術者情報を記憶する施術者情報記憶手段と、
基本保険料に関する基本保険料情報を記憶する基本保険料記憶手段と、
施術内容毎の施術者に応じた施術者係数情報を記憶する施術者係数記憶手段と、
施術内容の難易度等に応じた施術内容毎の施術係数情報を記憶する施術係数記憶手段と、
施術を受ける被施術者の性別や年齢に応じた被施術者係数情報を記憶する被施術者係数記憶手段と、
前記算定条件情報送信手段によって送信された保険料算定条件情報を受信する算定条件情報受信手段と、
該算定条件情報受信手段によって受信した前記保険料算定条件情報に基づく前記被施術者係数と、前記施術係数と、前記施術者係数と、前記基本保険料とを乗じてそれぞれの保険料を算定する保険料算定手段と、
それぞれの前記施術実績情報を、該保険料算定手段によって算定されたそれぞれの算定保険料に関する算定保険料情報とともに、前記保険加入者端末に送信する算定保険料情報送信手段を備え、
前記保険加入者端末に、
前記算定保険料情報送信手段によって送信されたそれぞれの前記施術実績情報および前記算定保険料情報とを受信する算定保険料情報受信手段と、
該算定保険料情報受信手段によって受信された前記施術実績情報および前記算定保険料情報を比較可能に出力する算定保険料出力手段と、
該算定保険料出力手段によって出力されたそれぞれの前記施術実績情報および前記算定保険料情報を比較した保険加入者が選択する保険への加入に関する選択加入情報の入力を許容する選択加入情報入力手段と、
該選択加入情報入力手段によって入力許容された選択加入情報を、前記サーバに送信する選択加入情報送信手段を備え、
前記サーバに、
前記選択加入情報送信手段によって送信された選択加入情報を受信する選択加入情報受信手段とを備えた
保険料管理システム。
【請求項２】
前記施術者が使用する施術者側端末を、前記管理サーバに前記電気通信回線を介して通信可能に接続し、
前記サーバに、
該選択加入情報受信手段の前記選択加入情報の受信に基づき前記選択加入情報に含まれる選択された施術者の前記施術者端末に、加入決定された保険の施術者であることを示す被選択通知情報を送信する被選択通知情報送信手段を備え、
前記施術者側端末に、
被選択通知情報送信手段によって送信された被選択通知情報を受信する被選択通知情報受信手段と、
該被選択通知情報受信手段が受信した被選択通知情報を出力する被選択通知情報出力手段を備えた
請求項１に記載の保険料管理システム。
【請求項３】
前記施術者側端末に、
出力された前記被選択通知情報に基づいて、施術者として選択された前記保険への前記施術者の加入の指示を入力許容する施術者加入指示手段と、
該施術者加入指示手段によって加入指示された施術者加入情報を、前記管理サーバに送信する施術者加入指示情報送信手段とを備えた
請求項１、または２に記載の保険管理システム。
【請求項４】
前記管理サーバに、
既に施術者からの施術を受けた保険加入者からの評価の受付を許容する施術者評価受付手段と、
該施術者評価受付手段が受け付けた評価を記憶する施術者評価記憶手段とを備え、
前記算定保険料情報送信手段を、
前記算定保険料情報とともに、施術者毎の前記施術者評価情報を送信する構成とし、
前記算定保険料出力手段を、
前記算定保険料情報とともに、施術者毎の前記施術者評価情報を出力する構成とした
請求項１、２または３に記載の保険管理システム。
【請求項５】
前記管理サーバに、
各施術者の被選択保険あるいは加入保険の賠償実績、あるいは保険料合計と、予め設定された基準金額とを比較する比較手段と、
該比較手段による比較結果に基づいて前記施術者の被選択保険あるいは加入保険の保険金負担の待遇を決定する待遇決定手段と、
該待遇決定手段が決定した前記待遇情報を前記施術者側端末に送信する待遇情報送信手段と、
前記施術者側端末に、
前記待遇情報送信手段が送信した待遇情報を受信する待遇情報受信手段と、
該待遇情報受信手段が受信した待遇情報を出力する待遇出力手段とを備えた
請求項１から４のうちいずれかに記載の保険管理システム。
【請求項６】
施術内容を専門的に判断可能な第三者機関が使用する第三者機関側端末を、前記管理サーバに前記電気通信回線を介して通信可能に接続し、
前記保険加入者端末に、
施術後の施術内容について第三者機関の判断の希望を指示する希望指示の入力を許容する希望指示入力手段と、
該希望指示入力手段によって入力された希望指示情報を、前記管理サーバに送信する希望指示送信手段を備え、
前記管理サーバに、
専門分野情報を含む第三者機関に関する第三者機関情報を記憶する第三者機関情報記憶手段と、
前記希望指示送信手段が送信した希望指示情報を受信する希望指示受信手段と、
該希望指示受信手段の前記希望指示情報の受信によって、施術記録情報を前記第三者機関側端末への送信を指示する記録送信指示情報を、前記施術者側端末に送信する記録送信指示送信手段とを備え、
前記施術者側端末に、
前記記録送信指示送信手段が送信した記録送信指示情報を受信する記録送信指示受信手段と、
該記録送信指示受信手段の記録送信指示情報の受信によって、前記第三者機関側端末に前記施術記録情報を送信する施術記録情報送信手段を備えた
請求項１から５のうちいずれかに記載の保険管理システム。
【手続補正２】
【補正対象書類名】明細書
【補正対象項目名】全文
【補正方法】変更
【補正の内容】
【発明の詳細な説明】
【技術分野】
【０００１】
この発明は、例えば保険加入者が、施術行為に対して保険に加入することのできる保険管理システム、およびその保険料算定システムに関する。
【背景技術】
【０００２】
高齢化が問題である現代社会において、様々な保険商品が提案されているとともに、保険加入者の検診データや生活習慣等に基づいて将来の医療費を予測する医療費予測システムが提案されている（特許文献１参照）。
【０００３】
この医療費予測システムは、保険加入者の個人属性に応じた慢性疾患の発症率を読み取り、読み取った発症率を検診データや生活習慣で補正し、発症率に伴って予測される医療費を計算するシステムである。
【０００４】
この医療費予測システムによって計算した医療費に基づいて保険料を算出する保険商品を提案することができるものの、この医療費予測システムでは個人属性等の保険加入者の情報のみを算定基準としているため、同じ状態の保険加入者であれば予測医療費は同じとなり、保険料も同額となる。
【０００５】
しかし、様々な施術内容や施術者を選択できる現代において、保険料が保険加入者の情報のみで算定されて、施術内容や施術者にもかかわらず同額となる保険商品は、利用者にとって満足できるものではなかった。
【０００６】
【特許文献１】特開２００５−５０３８０号公報
【発明の開示】
【発明が解決しようとする課題】
【０００７】
この発明は、保険加入者の施術歴等の個人情報と、施術内容の難易度等の情報と、施術実績等の施術者の情報とに基づいて、保険料を算定できるような保険料算定システムを提供することを目的とする。
【課題を解決するための手段】
【０００８】
この発明は、保険に加入する保険加入者が利用できる保険加入者側端末を、加入された保険を管理する管理サーバに電気通信回線を介して通信可能に接続した保険料算定システムであって、前記保険加入者側端末に、自己の性別や施術歴等の保険加入者情報の入力を許容する保険加入者情報入力手段と、複数の施術者の指定を許容する施術者指定手段と、施術内容の指定を許容する施術内容指定手段と、前記保険加入者情報と、前記施術内容指定手段で指定された指定施術内容情報と、前記施術者指定手段で指定された指定施術者情報とを保険料算定条件として前記管理サーバに送信する算定条件情報送信手段とを備え、前記管理サーバに、施術内容毎の施術実績等の施術者に関する施術者情報を記憶する施術者情報記憶手段と、基本保険料に関する基本保険料情報を記憶する基本保険料記憶手段と、施術内容毎の施術者に応じた施術者係数情報を記憶する施術者係数記憶手段と、施術内容の難易度等に応じた施術内容毎の施術係数情報を記憶する施術係数記憶手段と、施術を受ける被施術者の性別や年齢に応じた被施術者係数情報を記憶する被施術者係数記憶手段と、前記算定条件情報送信手段によって送信された保険料算定条件情報を受信する算定条件情報受信手段と、該算定条件情報受信手段によって受信した前記保険料算定条件情報に基づく前記被施術者係数と、前記施術係数と、前記施術者係数と、前記基本保険料とを乗じてそれぞれの保険料を算定する保険料算定手段と、それぞれの前記施術実績情報を、該保険料算定手段によって算定されたそれぞれの算定保険料に関する算定保険料情報とともに、前記保険加入者端末に送信する算定保険料情報送信手段を備え、前記保険加入者端末に、前記算定保険料情報送信手段によって送信されたそれぞれの前記施術実績情報および前記算定保険料情報とを受信する算定保険料情報受信手段と、該算定保険料情報受信手段によって受信された前記施術実績情報および前記算定保険料情報を比較可能に出力する算定保険料出力手段と、該算定保険料出力手段によって出力されたそれぞれの前記施術実績情報および前記算定保険料情報を比較した保険加入者が選択する保険への加入に関する選択加入情報の入力を許容する選択加入情報入力手段と、該選択加入情報入力手段によって入力許容された選択加入情報を、前記サーバに送信する選択加入情報送信手段を備え、前記サーバに、前記選択加入情報送信手段によって送信された選択加入情報を受信する選択加入情報受信手段とを備えたことを特徴とする。
【０００９】
上記管理サーバは、パーソナルコンピュータや携帯電話端末等で構成し、データベースサーバ、ＷＥＢサーバ、および電子メール配信サーバ等を有するサーバであることを含む。 
上記電気通信回線は、インターネットやパケット通信網等の公衆回線であることを含む。
【００１０】
上記保険加入者側端末は、パーソナルコンピュータや携帯電話端末等で構成し、電子メール作成、および送受信等のできるメーラー、およびＨＰ等の閲覧可能なブラウザ等を格納している端末であることを含む。なお、上記保険加入者側端末は保険加入者所有の端末あるいは、保険加入者が利用可能な保険勧誘員の端末であることを含む。
【００１１】
上記施術内容は、一般治療、保険外治療、混合治療、美容整形、歯科治療、出産、コンタクトの販売等を含む。  
施術実績とは、年間施術実績数、平均施術実績数等のその施術内容の処置実績数を含む。
【００１２】
難易度とは、施術内容毎の処置の困難性を数値化したものであることを含む。  
施術歴は、保険加入者の既往症、施術中の既往歴等であることを含む。  
上記比較可能な出力は、例えば評価等に基づいて比較した結果の出力であること、あるいは複数の保険料を同時に出力し、保険加入者自身が比較できる出力であること等を含む。
【００１３】
これにより、保険加入者の性別や施術歴等の保険加入者情報と施術内容の難易度等の施術内容情報とに加えて、施術内容毎の施術者に応じた施術者情報を保険料の算定に反映でき、保険加入者が同一かつ施術内容が同一の場合であっても施術者によって算定保険料が異なるため、保険を利用する保険加入者の満足度を向上させることができる。
【００１４】
また、保険加入者は保険加入者側端末を利用して、上記管理サーバに保険料の算定を指示し、保険料算定結果を出力させることができ、保険加入者は、保険加入者側端末から上記管理サーバに保険加入を指示できる。 
したがって、保険加入者は保険加入者側端末を利用して加入する保険を容易に参照して検討することができるとともに、加入手続きをすることができ、保険加入者の利用利便性を向上させることができる。
【００１５】
また、算定保険料とともに出力された施術実績等の施術者情報を確認してから保険加入したり、施術者を決定したりできるため、保険加入者の満足度を向上させることができる。 
また、算定保険料を比較可能に出力したことにより、例えば、比較可能に出力された保険料に基づいて、保険加入者が加入する保険や施術者を決定したりできるため、保険加入者の満足度をさらに向上させることができる。
【００１６】
また、この発明の態様として、前記施術者が使用する施術者側端末を、前記管理サーバに前記電気通信回線を介して通信可能に接続し、前記サーバに、該選択加入情報受信手段の前記選択加入情報の受信に基づき前記選択加入情報に含まれる選択された施術者の前記施術者端末に、加入決定された保険の施術者であることを示す被選択通知情報を送信する被選択通知情報送信手段を備え、前記施術者側端末に、被選択通知情報送信手段によって送信された被選択通知情報を受信する被選択通知情報受信手段と、該被選択通知情報受信手段が受信した被選択通知情報を出力する被選択通知情報出力手段を備えることができる。
【００１７】
上記施術者側端末は、パーソナルコンピュータや携帯電話端末等で構成し、電子メール作成、および送受信等のできるメーラー、およびＨＰ等の閲覧可能なブラウザ等を格納している端末であることを含む。なお、上記保険加入者側端末は保険加入者所有の端末あるいは、保険加入者が利用可能な保険勧誘員の端末であることを含む。
【００１８】
これにより、保険加入者側端末に、加入された保険の施術者であることを示す被選択通知を送信することができるため、被選択通知を受信した施術者はこれから処置する施術が保険対象であることを知りながら、インフォームドコンセント等の必要な措置をとりながら施術することができる。したがって、施術者とともに保険加入者にも安心感をもって施術することができる。
【００１９】
また、この発明の態様として、前記施術者側端末に、出力された前記被選択通知情報に基づいて、施術者として選択された前記保険への前記施術者の加入の指示を入力許容する施術者加入指示手段と、該施術者加入指示手段によって加入指示された施術者加入情報を、前記管理サーバに送信する施術者加入指示情報送信手段とを備えることができる。
【００２０】
上記施術者の加入とは、保険加入者が加入した保険の保険料を負担する加入、および保険加入者が加入した保険を割増す加入等であることを含む。  
これにより、保険加入者は加入した保険の保険料の負担を受けたり、自己が支払う保険料以上の保険に加入できるため、保険加入者の満足度を向上することができる。
【００２１】
また、施術者も保険料を負担することで保険加入者へのサービスを提供でき、保険料を負担することが施術者への広告となり、施術希望者の増加を図ることができる。  
また、割増して保険に加入することによって、保険加入者が加入した保険以上の賠償が請求された場合であっても、割増しした保険により補償することができる。
【００２２】
また、この発明の態様として、前記管理サーバに、既に施術者からの施術を受けた保険加入者からの評価の受付を許容する施術者評価受付手段と、該施術者評価受付手段が受け付けた評価を記憶する施術者評価記憶手段とを備え、前記算定保険料情報送信手段を、前記算定保険料情報とともに、施術者毎の前記施術者評価情報を送信する構成とし、前記算定保険料出力手段を、前記算定保険料情報とともに、施術者毎の前記施術者評価情報を出力する構成とすることができる。
【００２３】
上記評価は、自動的に計算される評価点数あるいは、総合評価は自動的に計算されずとも、既に施術者からの施術を受けた保険加入者の主観による評価であってもよい。 
これによって、保険加入者は施術者の評価を確認した上で、算定した保険料を考慮して保険に加入することができるため、施術を受ける施術者を決定する際の判断基準を得ることができる。
【００２４】
また、この発明の態様として、前記管理サーバに、各施術者の被選択保険あるいは加入保険の賠償実績、あるいは保険料合計と、予め設定された基準金額とを比較する比較手段と、該比較手段による比較結果に基づいて前記施術者の被選択保険あるいは加入保険の保険金負担の待遇を決定する待遇決定手段と、該待遇決定手段が決定した前記待遇情報を前記施術者側端末に送信する待遇情報送信手段と、前記施術者側端末に、前記待遇情報送信手段が送信した待遇情報を受信する待遇情報受信手段と、該待遇情報受信手段が受信した待遇情報を出力する待遇出力手段とを備えることができる。
【００２５】
上記保険金負担の待遇とは、施術者が加入する保険料の割引又は割増し、還付金又はペナルティ等を含む。  
これにより、施術者は自己の実績に基づいて優遇等を受けることができる。したがって施術に対する慎重度が高まり、安全性の高い施術を保険加入者は受けることができる。
【００２６】
また、この発明の態様として、施術内容を専門的に判断可能な第三者機関が使用する第三者機関側端末を、前記管理サーバに前記電気通信回線を介して通信可能に接続し、前記保険加入者端末に、施術後の施術内容について第三者機関の判断の希望を指示する希望指示の入力を許容する希望指示入力手段と、該希望指示入力手段によって入力された希望指示情報を、前記管理サーバに送信する希望指示送信手段を備え、前記管理サーバに、専門分野情報を含む第三者機関に関する第三者機関情報を記憶する第三者機関情報記憶手段と、前記希望指示送信手段が送信した希望指示情報を受信する希望指示受信手段と、該希望指示受信手段の前記希望指示情報の受信によって、施術記録情報を前記第三者機関側端末への送信を指示する記録送信指示情報を、前記施術者側端末に送信する記録送信指示送信手段とを備え、前記施術者側端末に、前記記録送信指示送信手段が送信した記録送信指示情報を受信する記録送信指示受信手段と、該記録送信指示受信手段の記録送信指示情報の受信によって、前記第三者機関側端末に前記施術記録情報を送信する施術記録情報送信手段を備えることができる。
【００２７】
上記第三者機関とは、弁護士等が所属する機関、セカンドオピニオンを提供できる専門医所属する機関等であることを含む。  
これにより、保険加入者は、自己が受けた施術に対して、専門医等からセカンドオピニオン等を得ることができるとともに、例えば、施術後に後遺症等の医療事故が発生した場合であっても、弁護士等の専門的な措置を得ることができる。  
また、施術者が、自己が行なった診察および施術の正当性を証明するために、監査者の監査結果を用いることもできる。
【発明の効果】
【００２８】
この発明によれば、保険加入者の施術歴等の保険加入者情報と、施術内容の難易度等の施術内容情報と、施術者の施術実績等の施術者情報とに基づいて、保険料を算定できるため、保険を利用する保険加入者の満足度を向上させることができる。
【発明を実施するための最良の形態】
【００２９】
この発明の一実施形態を以下図面と共に説明する。  
まず、図１に示すシステム構成図と共に、施術損害保険システム１のシステム構成について説明する。  
施術損害保険システム１は、施術損害保険を提供する保険提供者が管理する管理サーバ１０と、インターネット７０を介して通信可能な施術者側端末２０、保険加入者側端末３０、および監査者側端末４０とで構成している。
【００３０】
ここで、施術者側端末２０、保険加入者側端末３０、および監査者側端末４０は複数存在しており、正確には施術損害保険システム１を利用する保険加入者数、施術者数、および監査者数だけ存在している。  
なお、保険加入者側端末３０は本実施例において、保険加入者が所有する端末であるが、保険勧誘員が所持し、保険加入者に保険を勧誘する際に保険加入者が使用できる保険勧誘員用端末であってもよい。
【００３１】
なお、管理サーバ１０はコンピュータであり、ＣＰＵとＲＯＭとＲＡＭで構成される制御装置、ハードディスク等の記憶装置、ＣＤ−ＲＯＭドライブやＦＤドライブ等の記憶媒体（ＣＤ−ＲＯＭやＦＤ等）を読取る記憶媒体読取装置、または記憶媒体読書き装置、マウスやキーボード等の入力装置、ＣＲＴや液晶画面等で構成する表示装置、およびインターネット７０を介して通信を行うＬＡＮボード等の通信装置を備えるとともに、ＷＥＢサーバ機能、データベースサーバ機能、およびメールサーバ機能を備えている。
【００３２】
なお、記憶装置（例えばハードディスク）には保険加入者情報登録プログラムや、施術者情報登録プログラムや、監査者情報登録プログラムや、施術者フィルタリングプログラムや、保険料算定実行プログラムや、保険加入登録プログラムや、電子メール配信実行プログラム等、必要な処理を実行するプログラムを格納するとともに、施術者管理データベース（ＤＢ）１１、保険加入者管理データベース（ＤＢ）１２、保険料管理データベース（ＤＢ）１３、および監査者管理データベース（ＤＢ）１４を記憶している。
【００３３】
施術者管理ＤＢ１１は、施術者情報テーブル、実績情報テーブルおよび保険加入者による施術者評価情報テーブル等を管理している。  
なお、施術とは通常治療、美容整形や歯科治療等の保険外治療、目に異常がないと診察した上でのコンタクトの販売等を含み、施術者とは医師のみならず、病院、診療所等の医療機関、コンタクト販売者等を含む。
【００３４】
また、保険加入者管理ＤＢ１２は、保険加入者の個人情報テーブル、および加入情報テーブルを管理している。  
また、保険料管理ＤＢ１３は、施術内容に関する情報テーブル、基本保険料情報テーブル、性別および年齢別係数情報テーブル、および施術者別係数情報テーブルを管理している。
【００３５】
監査者管理ＤＢ１４によって監査者の情報テーブルを管理している。  
なお、監査者とは、弁護士や専門医等の専門家であり、施術者が行なった診察や施術が適切であるか否かを判断できる者を指す。
【００３６】
施術者側端末２０、保険加入者側端末３０および監査者側端末４０はコンピュータであり、ＣＰＵとＲＯＭとＲＡＭで構成される制御装置、ハードディスク等の記憶装置、ＣＤ−ＲＯＭドライブやＦＤドライブ等の記憶媒体（ＣＤ−ＲＯＭやＦＤ等）を読取る記憶媒体読取装置、または記憶媒体読書き装置、マウスやキーボード等の入力装置、ＣＲＴや液晶画面等で構成する表示装置、およびインターネット７０を介して通信を行うＬＡＮボード等の通信装置とともに、ブラウザ機能とメールの送受信機能とを備えており、ブラウザ機能によって、前記管理サーバ１０のＷＥＢサーバ機能で提供される施術者用ＨＰ、保険加入者用ＨＰまたは監査者用ＨＰにアクセスして、それぞれの情報の登録が実行できる。
【００３７】
また、施術者側端末２０のブラウザ機能によって、前記管理サーバ１０のＷＥＢサーバ機能で提供される施術者用ＨＰにアクセスして、施術者として選択された保険への加入の入力が実行できる。
【００３８】
また、保険加入者側端末３０のブラウザ機能によって、前記管理サーバ１０のＷＥＢサーバ機能で提供される保険加入者用ＨＰにアクセスして、保険料算定条件の入力が実行できるとともに、保険加入の入力が実行できる。
【００３９】
なお、施術者側端末２０、保険加入者側端末３０、および監査者側端末４０のそれぞれは、ＣＰＵとＲＯＭとＲＡＭとで構成する制御装置、不揮発性メモリ等で構成する記憶装置、液晶画面等で構成する表示装置、押下ボタン等で構成する入力装置、マイク等の音声入力装置、スピーカ等の発音装置、および、アンテナ等の通信装置（通信部）を備えた携帯電話端末であってもよい。  
その場合、上記記憶装置には、ブラウザプログラムやメールプログラム等、必要な処理を実行するプログラムを格納していればよい。
【００４０】
以上のシステム構成により、保険加入者は保険加入者側端末３０で管理サーバ１０にアクセスして、保険加入者情報、あるいは施術者評価等の登録や、施術内容監査依頼の指示ができる。
【００４１】
さらに、保険加入者は保険加入者側端末３０で管理サーバ１０にアクセスして、保険料算定条件の入力、および評価等を比較した上で保険の加入ができる。
【００４２】
また、施術者は施術者側端末２０で管理サーバ１０にアクセスして、施術者情報や、実績情報等の登録が実行できる。
【００４３】
さらに、施術者は施術者側端末２０で管理サーバ１０にアクセスして、被選択通知の電子メールを受信でき、受信した電子メールに基いて施術者として選択された保険に加入することができる。  
さらに、監査者は監査者側端末４０で管理サーバ１０にアクセスして、施術者側端末２０からの施術記録情報データを受信できるとともに、監査結果データを送信することができる。
【００４４】
管理サーバ１０は、インターネット７０を介して、保険加入者管理ＤＢ１２への登録を希望する保険加入者の保険加入者情報を取得できるとともに、保険加入者の保険料算定条件の入力を許容し、算定条件に基いて算定した保険料を出力することができる。
【００４５】
また、管理サーバ１０は、インターネット７０を介して、施術者管理ＤＢ１１への登録する施術者の施術者情報や、実績情報等を取得できるとともに、施術者側端末２０に対して、保険加入者が加入した保険に施術者として選択されている被選択通知情報を送信することができる。
【００４６】
次に、図２〜図１１に示すデータ構成図と共に、管理サーバ１０の施術者管理ＤＢ１１、保険加入者管理ＤＢ１２、保険料管理ＤＢ１３、および監査者管理ＤＢ１４に格納するデータについて説明する。  
なお、後述する施術者情報テーブル５１、実績情報管理テーブル５２、および施術者評価管理テーブル５４は施術者管理ＤＢ１１に格納し、保険加入者情報テーブル５３、および加入情報管理テーブル６０は保険加入者管理ＤＢ１２に格納し、施術内容管理テーブル５６、基本保険料管理テーブル５７、性別および年齢別係数管理テーブル５８および該施術者別係数管理テーブル５９は保険料管理ＤＢ１３に格納し、監査者情報テーブル５５は監査者管理ＤＢ１４に格納している。
【００４７】
図２は、施術者情報テーブル５１を示し、該施術者情報テーブル５１は次に説明する各項目（フィールド）を備えている。  
施術者ＩＤは、管理サーバ１０が提供する施術者用ＨＰに、施術者がログインに使用する施術者ログインＩＤであり、施術者毎にユニークなＩＤとして、自動的に採番したオートナンバーを格納する。  
施術者名称は、施術者が医師である場合は個人名、病院であれば名称等を格納する。
【００４８】
施術者種別は、診療所や病院等の施術者の種別を格納する。なお、施術者が個人の場合は属する機関の種別を格納する。また、専門には施術者の専門とする分野を格納する。なお、図２に示すように複数の専門分野を格納してもよい  
連絡先、および住所専門には、施術者のそれぞれの情報を格納する。
【００４９】
メールアドレスは施術者側端末２０（図１）に設定した電子メールのアドレスを格納する。  
また、管理サーバ１０が提供する施術者用ＨＰに、施術者がログインに使用する施術者ログインパスワード（図示せず）を格納する。  
以上の構成により、管理サーバ１０は、施術者の情報を管理するが、上記管理情報以外に、その他の適宜の施術者情報を登録してもよい。
【００５０】
図３は、実績情報管理テーブル５２を示し、該実績情報管理テーブル５２は次に説明する各項目を備えている。  
施術者ＩＤは、管理サーバ１０が提供する施術者用ＨＰにログインして実績情報を登録した施術者の施術者ＩＤを格納する。
【００５１】
施術内容ＩＤは、実績登録する施術内容に対応する施術内容管理テーブル５６（図７）に格納された施術内容ＩＤを格納する。  
保険加入は、実績登録する物件が施術損害保険システム１の損害保険に加入していたか否かを、チェックマークで示すようにフラグを立てて格納している。
【００５２】
患者情報は、実績登録する物件の患者に関する情報を格納するが、詳しくは、患者の性別、年齢、施術歴等を格納する。  
施術後情報は、実績登録する物件の術後の情報を格納するが、詳しくは後遺症発生、合併症の発生、およびそれらに伴う賠償実績について格納する。
【００５３】
以上の構成により、管理サーバ１０は、施術者の実績情報を管理するが、上記管理情報以外に、その他の適宜の実績情報を登録してもよい。
【００５４】
図４は、保険加入者情報テーブル５３を示し、該保険加入者情報テーブル５３は次に説明する各項目を備えている。  
保険加入者ＩＤは、管理サーバ１０が提供する保険加入者用ＨＰに、保険加入者がログインに使用する保険加入者ログインＩＤであり、保険加入者毎にユニークなＩＤとして、自動的に採番したオートナンバーを格納する。
【００５５】
氏名、連絡先、および住所には、保険加入者のそれぞれの情報を格納する。  
メールアドレスは保険加入者側端末３０（図１）に設定した電子メールのアドレスを格納する。  
生年月日、性別、血液型、身長および体重には、保険加入者のそれぞれの情報を格納する。
【００５６】
施術歴１〜４は、保険加入者の既往症や治療歴等の施術歴の情報を施術内容とともに格納する。したがって、複数の施術歴を有する非保険者の場合は複数の施術歴を格納する。  
また、管理サーバ１０が提供する保険加入者用ＨＰに、保険加入者がログインに使用する保険加入者ログインパスワード（図示せず）を格納する。  
以上の構成により、管理サーバ１０は、保険加入者の情報を管理するが、上記管理情報以外に、その他の適宜の保険加入者情報を登録してもよい。  
なお、施術歴１〜４は別テーブルとし、いくつでも登録可能に構成してもよい。
【００５７】
図５は、施術者評価管理テーブル５４を示し、該施術者評価管理テーブル５４は次に説明する各項目を備えている。  
加入者ＩＤは、施術者の評価を登録する保険加入者の保険加入者情報テーブル５３に格納された加入者ＩＤを格納する。
【００５８】
施術者ＩＤは、保険加入者が評価する施術者の施術者情報テーブル５１に格納される施術者ＩＤを格納する。
【００５９】
施術内容ＩＤは、施術者評価を行なう施術者から受けた施術内容に対応する施術内容管理テーブル５６（図７）に格納された施術内容ＩＤを格納する。  
患者情報は、対象となる施術を受けた際の本人に関する情報を格納するが、詳しくは、性別、年齢、施術歴等を格納する。  
施術後情報は、対象となる施術の術後の情報を格納するが、詳しくは後遺症発生、合併症の発生、およびそれらに伴う賠償実績について格納する。
【００６０】
総合評価は、後述する各評価に基いて、自動的に計算される評価点数を格納する。なお、総合評価は自動的に計算されずとも、評価者（保険加入者）の主観で、各評価と別個に入力されてよい。また、総合評価点数は１０点を最高評価とし、一点刻みの評価を格納しているが、これに限定されず、後述する各評価点の合計に基づくランク分けされた評価を格納してもよい。
【００６１】
設備、応対、および施術は、それぞれについての保険加入者の５点を満点とする評価点を格納している。なお、本実施例において、設備については設備がきれいかを示すきれい度、設備が充実しているかを示す充実度、および掃除が行き届いているかを示す掃除度を評価項目としている。
【００６２】
また、応対については、全体的な親切さを示す親切度、スタッフによる応対がきっちりなされているかを示すスタッフ、および施術者による応対がきっちりなされているかを示す施術者を評価項目としている。
【００６３】
また、施術については、インフォームドコンセントがきっちりなされたかを示すインフォームドコンセント、投薬量や処方薬量が適切であるかを示す薬量、施術に対する料金が適切であるかを示す料金、および施術後の対応がきっちりなされているかを示すアフターケアを評価項目としている。  
また、総合評価点数は５点を最高評価とし、一点刻みの評価点を格納している。
【００６４】
以上の構成により、管理サーバ１０は、施術を受けた保険加入者による施術者評価を管理するが、上記管理情報以外に、その他の適宜の評価情報を登録してもよい。
【００６５】
図６は、監査者情報テーブル５５を示し、該監査者情報テーブル５５は次に説明する各項目を備えている。  
監査者ＩＤは、管理サーバ１０が提供する監査者用ＨＰに、監査者がログインに使用する監査者ログインＩＤであり、監査者毎にユニークなＩＤとして、自動的に採番したオートナンバーを格納する。
【００６６】
氏名、連絡先、および住所には、監査者のそれぞれの情報を格納する。  
メールアドレスは監査者側端末４０（図１）に設定した電子メールのアドレスを格納する。  
専門には、監査者の専門分野情報を格納する。  
また、管理サーバ１０が提供する監査者用ＨＰに、監査者がログインに使用する監査者ログインパスワード（図示せず）を格納する。
【００６７】
以上の構成により、管理サーバ１０は、監査者の情報を管理するが、上記管理情報以外に、その他の適宜の監査者情報を登録してもよい。
【００６８】
なお、本実施例において、上記施術者情報テーブル５１から監査者情報テーブル５５に格納する各項目は、管理サーバ１０の上記各ＨＰ内で入力フォームを提供し、施術者側端末２０、保険加入者側端末３０あるいは監査者側端末４０からの入力を受付け、上記各情報登録プログラムにより自動登録する構成としているが、施術者、保険加入者、あるいは監査者のそれぞれから申し込み用紙を受け取って手入力する等、適宜の方法で登録する構成であってもよい。  
図７は、施術内容管理テーブル５６を示し、該施術内容管理テーブル５６は次に説明する各項目を備えている。  
カテゴリＩＤは、施術内容をカテゴリ毎に区分けした際のカテゴリのユニークなＩＤを格納する。  
カテゴリは、施術内容を区分けする際の大枠の名称を格納する。
【００６９】
施術コードと施術内容は、カテゴリ内の詳細な施術内容とユニークなコードを格納する。  
なお、施術内容ＩＤは、カテゴリＩＤと施術コードとの組合わせによって構成している。
【００７０】
保険外治療は、当該施術内容が国民健康保険の対象となっているか否かについて、チェックマークで示すようにフラグを立てて格納している。  
算定基準係数（難易度）は、施術内容の難易度を示すとともに、保険料を算定する際に、後述する基本保険料に乗じる施術内容毎の係数を格納している。
【００７１】
担保期間は、施術内容毎の施術後の保険賠償に関する担保期間を格納している。
【００７２】
以上の構成により、施術内容情報を管理する。  
なお、この施術内容管理テーブル５６は、施術損害保険システム１の管理者である損害保険提供者が登録しているが、第三者が提供する施術内容情報を自動登録しても良い。
【００７３】
図８は、基本保険料管理テーブル５７を示し、該基本保険料管理テーブル５７は次に説明する各項目を備えている。  
基本保険料管理テーブル５７は、Ａ、Ｂ、およびＣで構成され、そのそれぞれは賠償上限額とそれに対応する基本保険料を格納している。なお、本実施例において、Ａは１０万から９９万の賠償上限額に対応する基本保険料、Ｂは１００万から９００万の賠償上限額に対応する基本保険料、Ｃは１０００万から９０００万の賠償上限額に対応する基本保険料のそれぞれを格納している  
以上の構成により、管理サーバ１０は基本保険料を管理する。  
なお、各Ａ、Ｂ、およびＣを組み合わせることによって、保険加入者の希望する賠償上限額に対応する基本保険料を算定することができる。
【００７４】
図９は、性別および年齢別係数管理テーブル５８を示し、該性別および年齢別係数管理テーブル５８は次に説明する各項目を備えている。  
施術内容ＩＤは、施術内容管理テーブル５６に格納された施術内容に対応する施術内容ＩＤを格納し、性別および年齢別係数管理テーブル５８の行の名称（最上行）には、性別ごとの年齢区分を格納している。
【００７５】
また、表中には、施術内容毎の各性別および年齢区分に応じた基本保険料に乗じる係数を格納する。  
以上の構成により、管理サーバ１０は施術内容毎の各性別および年齢区分に応じた基本保険料に乗じる係数を管理する。
【００７６】
図１０は、施術者別係数管理テーブル５９を示し、該施術者別係数管理テーブル５９は次に説明する各項目を備えている。  
施術者ＩＤは、施術者情報テーブル５１（図２）に格納された施術者に対応する施術者ＩＤを格納し、該施術者別係数管理テーブル５９の行の名称（最上行）には、施術内容管理テーブル５６に格納された施術内容毎の施術内容ＩＤを格納している。
【００７７】
また、表中には、施術者毎の各施術内容に応じた基本保険料に乗じる係数を格納する。  
以上の構成により、管理サーバ１０は施術者毎の各施術内容に応じた基本保険料に乗じる係数を管理する。
【００７８】
図１１は、加入情報管理テーブル６０を示し、該加入情報管理テーブル６０は次に説明する各項目を備えている。  
加入ＩＤは、保険加入者が加入した損害保険毎にユニークなＩＤとして、自動的に採番したオートナンバーを格納する。  
加入日は、保険加入者が保険加入者側端末３０から管理サーバ１０アクセスして損害保険に加入した日を格納する。  
保険加入者ＩＤ、施術内容ＩＤ、および施術者ＩＤは、保険加入者情報テーブル５３、施術内容管理テーブル５６、ならびに施術者情報テーブル５１のそれぞれに格納されたそれぞれのＩＤを格納する。  
施術予定日は、損害保険に保険加入時の施術予定日を格納する。
【００７９】
保険料は管理サーバ１０が算定した保険料の情報を格納する。  
担保期間は、施術内容管理テーブル５６に格納された施術内容毎に定められた担保期間に基づいて担保期間最終日を格納し、既に担保期間が終了した場合には、チェックマークで示すようにフラグを立てて格納している。
【００８０】
賠償は、当該加入された損害保険での賠償があった場合に、賠償金額を格納している。  
備考は、施術者として選択された被選択保険に施術者が保険料負担あるいは割増し加入を行なった場合にその旨を格納する。
【００８１】
以上の構成により、管理サーバ１０は、損害保険についての加入情報を管理するが、上記管理情報以外に、その他の適宜の保険加入者情報を登録してもよい。  
また、これらの管理する基本保険料、および各登録情報に基づいて適切な保険料を算定することができる。
【００８２】
なお、施術歴と施術内容との関係に対応する施術内容別施術歴係数を設けて、保険料算定基準に組み入れてもよい。  
さらに、施術を受ける保険加入者の体型や血液型等の体質情報と施術内容との関係に対応する施術内容別体質係数を設けて、保険料算定基準に組み入れてもよい。  
これにより、さらに適切な保険料を算定することができ、保険加入者等の満足度を向上することができる。
【００８３】
次に、保険加入者が施術損害保険システム１が提供する損害保険に新たに加入するための保険加入処理について、図１２から図１４に示すフローチャートと共に詳述する。  
保険加入者の操作によって施術者側端末２０が管理サーバ１０の提供する保険加入者用ＨＰのＵＲＬへアクセスすると（ステップｕ１）、管理サーバ１０はトップ画面データを保険加入者側端末３０のブラウザにあわせた形式のデータ（ＨＴＭＬやＨＤＭＬ等）で送信し（ステップｕ２）、保険加入者側端末３０は、受信したトップ画面データによる保険加入者用トップ画面をモニタ３１（図１）に表示する（ステップｕ３）。
【００８４】
この保険加入者用トップ画面で、保険加入者によって既加入保険一覧ボタン１０５が押下されると（ステップｕ４）、管理サーバ１０は、既加入保険一覧画面データを保険加入者側端末３０のブラウザに合わせたデータ形式で送信する（ステップｕ５）。
【００８５】
保険加入者側端末３０は、受信した既加入保険一覧画面データに基づいて、既加入保険一覧画面（図示せず）をモニタ３１（図１）に表示する（ステップｕ６）。
【００８６】
この既加入保険一覧画面で新規加入ボタンが押下されると（ステップｕ７）、管理サーバ１０は、新規加入のための施術内容決定画面データを保険加入者側端末３０のブラウザに合わせたデータ形式で送信する（ステップｕ８）。
【００８７】
保険加入者側端末３０は、受信した施術内容決定画面データに基づいて、施術内容決定画面（図示せず）をモニタ３１（図１）に表示する（ステップｕ９）。
【００８８】
この施術内容決定画面で、カテゴリ選択プルダウンボタンが選択された後に参照ボタンが押下されると（ステップｕ１０：Ｙｅｓ）、施術内容参照画面データを保険加入者側端末３０のブラウザに合わせたデータ形式で送信し（ステップｕ１１）、保険加入者側端末３０は、受信した施術内容参照画面データに基づいて施術内容参照画面をモニタ３１（図１）に表示する（ステップｕ１２）。
【００８９】
この施術内容決定画面で、施術内容ＩＤ入力テキストボックスに直接、施術内容ＩＤが入力されて（ステップｕ１０：Ｎｏ）、あるいは施術内容参照画面で選択チェックボックスにチェックされた後に戻るボタンが押下されて、施術内容ＩＤ入力テキストボックスに選択された施術内容ＩＤ表示が入力された状態の施術内容決定画面に移行した後（ステップｕ１３）、施術者選択ボタンが押下されると、保険加入者側端末３０は施術内容選択情報を管理サーバ１０に送信する。
【００９０】
施術内容選択情報を受信した管理サーバ１０は、施術者選択トップ画面データを保険加入者側端末３０のブラウザに合わせたデータ形式で送信し、保険加入者側端末３０は、受信した施術者選択トップ画面データに基づいて、施術者選択トップ画面をモニタ３１（図１）に表示する。
【００９１】
この施術者選択トップ画面で施術者決定済の場合ボタンが押下されると（ステップｕ１４：Ｙｅｓ）、管理サーバ１０は、決定済施術者検索画面データを保険加入者側端末３０のブラウザに合わせたデータ形式で送信する（ステップｕ１５）。
【００９２】
保険加入者側端末３０は、受信した決定済施術者検索画面データに基づいて、図１５の画面イメージ図に示すように、決定済施術者検索画面２１０をモニタ３１（図１）に表示する（ステップｕ１６）。  
このとき表示する決定済施術者検索画面２１０には、検索条件入力テキストボックス２１１（２１１ａ、２１１ｂ、２１１ｃ）、検索ボタン２１２、戻るボタン２１３、およびＴＯＰボタン２１４を表示する。
【００９３】
検索条件入力テキストボックス２１１は、検索条件を入力するテキストボックスであり、本実施例においては検索条件入力テキストボックス２１１ａを住所、検索条件入力テキストボックス２１１ｂを電話番号、および検索条件入力テキストボックス２１１ｃを施術者名を入力するよう設定している。  
検索ボタン２１２は、検索条件入力テキストボックス２１１の検索条件に基づいて施術者を検索した結果を表示する検索結果表示画面に移行するボタンである。
【００９４】
戻るボタン２１３は、直前の施術者選択トップ画面に移行するボタンであり、ＴＯＰボタン２１４は、保険加入者用トップ画面に移行するボタンである。
【００９５】
この決定済施術者検索画面２１０で検索条件入力テキストボックス２１１ａ〜２１１ｃのうちいずれかに検索条件が入力された後に検索ボタン２１２が押下されると（ステップｕ１７）、保険加入者側端末３０は管理サーバ１０に検索条件データを管理サーバ１０に送信する。検索条件データを受信した管理サーバ１０は、上記施術者フィルタリングプログラムにより施術者情報テーブル５１から該当する施術者を抽出し、対応する施術者情報とともに、検索結果表示画面データを保険加入者側端末３０のブラウザに合わせたデータ形式で送信し、保険加入者側端末３０は、受信した検索結果表示画面データに基づいて、図１６に示すように、検索結果表示画面２２０をモニタ３１（図１）に表示する。
【００９６】
このとき表示する検索結果表示画面２２０には、検索結果一覧表示部２２１、保険料算定ボタン２２２、戻るボタン２２３、およびＴＯＰボタン２２４を表示する。  
検索結果一覧表示部２２１は、決定済施術者検索画面２１０で入力した検索条件に該当する施術者の一覧と、各行に選択チェックボックス２２１ａを表示する。
【００９７】
保険料算定ボタン２２２は、選択チェックボックス２２１ａの選択後、当該施術者における保険料の算定結果表示画面に移行するボタンである。  
戻るボタン２２３は、直前の決定済施術者検索画面２１０（図１５）に移行するボタンであり、ＴＯＰボタン２０３は、保険加入者用トップ画面に移行するボタンである。
【００９８】
この検索結果表示画面２２０で選択チェックボックス２２１ａのいずれかにチェックがなされた後に保険料算定ボタン２２２が押下されると（ステップｕ２０）、管理サーバ１０は、検索結果表示画面２２０で選択された施術者と、施術者管理ＤＢ１１から保険料管理ＤＢ１３に格納された情報とに基づいて、上記保険料算定実行プログラムにより保険料を算定し、その算定された保険料情報とともに保険料算定結果表示画面データを保険加入者側端末３０のブラウザに合わせたデータ形式で送信し、保険加入者側端末３０は、受信した検索結果表示画面データに基づいて、図１７に示すような保険料算定結果表示画面２３０をモニタ３１（図１）に表示する。
【００９９】
この保険料算定結果表示画面２３０には、算定保険料表示部２３１、保険加入者情報、施術内容および施術者の情報表示部２３２、保険料施術者負担希望チェックボックス２３３、加入申込ボタン２３４、加入者情報修正ボタン２３５、施術内容修正ボタン２３６、施術者修正ボタン２３７、戻るボタン２３８、およびＴＯＰボタン２３９を表示する。
【０１００】
算定保険料表示部２３１は、施術内容および施術者の情報表示部２３２に表示する条件に基づいて管理サーバ１０が算定した保険料を表示する部分である。  
施術内容および施術者の情報表示部２３２は、算定保険料表示部２３１を算定するための保険加入者情報、施術内容および施術者情報等を表示する部分である。
【０１０１】
保険料施術者負担希望チェックボックス２３３は、当該損害保険で指定した施術者に、管理サーバ１０が通知する被選択保険情報に、上記算定保険料の一部負担を希望することを選択するチェックボックスである。  
加入申込ボタン２３４は、上記条件での保険加入を指示する保険加入画面に移行するボタンである。
【０１０２】
加入者情報修正ボタン２３５、施術内容修正ボタン２３６、および施術者修正ボタン２３７は、それぞれの条件を修正するための修正画面に移行するボタンである。  
戻るボタン２３８は、直前の検索結果表示画面２２０（図１６）に移行するボタンであり、ＴＯＰボタン２３９は、保険加入者用トップ画面に移行するボタンである。
【０１０３】
この保険料算定結果表示画面２３０で加入申込ボタン２３４が押下されると（ステップｕ２３）、管理サーバ１０は、上記保険加入登録プログラムにより損害保険加入情報を加入情報管理テーブル６０（図１１）に登録する（ステップｕ２４）。
【０１０４】
前記ステップｕ１４で、保険加入の際に施術者が未定である場合は、施術者選択トップ画面で施術者未決定の場合ボタンを押下する（ステップｕ１４：Ｎｏ）。  
これにより、管理サーバ１０は、抽出条件入力画面データを保険加入者側端末３０のブラウザに合わせたデータ形式で送信し、保険加入者側端末３０は、受信した抽出条件入力画面データに基づいて、図１８に示すような抽出条件入力画面２４０をモニタ３１（図１）に表示する。
【０１０５】
このとき表示する抽出条件入力画面２４０には、抽出条件入力テキストボックス２４１（２４１ａ、２４１ｂ、２４１ｃ）、表示方法選択ラジオボタン２４２、抽出結果表示数選択プルダウンボタン２４３、抽出ボタン２４４、戻るボタン２４５、およびＴＯＰボタン２４６を表示する。
【０１０６】
抽出条件入力テキストボックス２４１は、抽出条件を入力するテキストボックスであり、本実施例においては所在地で抽出するように抽出条件入力テキストボックス２４１ａを地域名入力テキストボックス、抽出条件入力テキストボックス２４１ｂを県名入力テキストボックス、および抽出条件入力テキストボックス２４１ｃを市名入力テキストボックスに設定している。
【０１０７】
表示方法選択ラジオボタン２４２は、抽出条件入力テキストボックス２４１の抽出条件に基づいて抽出された施術者の表示順序を選択するラジオボタンである。本実施例においては評価順に表示することを選択するラジオボタンと、保険加入者の住所から近い順に表示することを選択するラジオボタンを設定しているが、これに限定されず、保険料の高い、あるいは低い順に表示するよう設定してもよい。
【０１０８】
抽出結果表示数選択プルダウンボタン２４３は、抽出条件入力テキストボックス２４１の抽出条件に基づいて施術者を抽出した結果を表示方法選択ラジオボタン２４２で選択した順で表示する際に、該当する施術者のうち一度に表示する施術者の数を選択するプルダウンボタンである。
【０１０９】
検索ボタン２４４は、抽出条件入力テキストボックス２４１の抽出条件に基づいて施術者を抽出した結果を表示方法選択ラジオボタン２４２で選択した順で、抽出結果表示数選択プルダウンボタン２４３で選択した数だけ一度に表示し、施術者を選択できる施術者選択画面に移行するボタンである。  
戻るボタン２４５は、直前の施術者選択トップ画面に移行するボタンであり、ＴＯＰボタン２４６は、保険加入者用トップ画面に移行するボタンである。
【０１１０】
この抽出条件入力画面２４０で抽出条件入力テキストボックス２４１ａ〜２４１ｃのうちいずれかに抽出条件が入力され、表示方法選択ラジオボタン２４２および抽出結果表示数選択プルダウンボタン２４３が選択された後に抽出ボタン２４４が押下されると（ステップｕ１００）、管理サーバ１０は、上記施術者フィルタリングプログラムにより施術者を抽出するとともに、抽出された各施術者と、施術者管理ＤＢ１１から保険料管理ＤＢ１３に格納された情報とに基づいてそれぞれの保険料を算定する。さらに、管理サーバ１０は、その算定された保険料情報とともに施術者選択画面データを保険加入者側端末３０のブラウザに合わせたデータ形式で送信し（ステップｕ１０１）、保険加入者側端末３０は、受信した施術者選択画面データに基づいて、図１９に示すように、施術者選択画面２５０をモニタ３１（図１）に表示する（ステップｕ１０２）。
【０１１１】
このとき表示する施術者選択画面２５０には、抽出結果一覧表示部２５１、保険料施術者負担希望チェックボックス２５２、加入申込ボタン２５３、加入者情報修正ボタン２５４、施術内容修正ボタン２５５、施術者修正ボタン２５６、戻るボタン２５７、およびＴＯＰボタン２５８を表示する。
【０１１２】
抽出結果一覧表示部２５１は、表示方法選択ラジオボタン２４２（図１８）で選択された順番に、抽出結果表示数選択プルダウンボタン２４３（図１８）で設定された数の抽出条件入力テキストボックス２４１（図１８）で設定した抽出条件によって抽出された施術者と、各行に選択チェックボックス２５１ａを表示する。  
なお、本実施例においては、抽出された施術者の名称、住所、事故歴、施術実績、評価、および管理サーバ１０が上記保険料算定実行プログラムで算定した算定保険料を表示する。
【０１１３】
保険料施術者負担希望チェックボックス２５２は、当該損害保険で指定した施術者に、管理サーバ１０が通知する被選択保険情報に、上記算定保険料の一部負担を希望することを選択するチェックボックスである。  
加入申込ボタン２５３は、上記条件での保険加入を指示する保険加入画面に移行するボタンである。
【０１１４】
加入者情報修正ボタン２５４、施術内容修正ボタン２５５、および施術者修正ボタン２５６は、それぞれの条件を修正するための修正画面に移行するボタンである。  
戻るボタン２５７は、直前の検索結果表示画面２２０（図１６）に移行するボタンであり、ＴＯＰボタン２５８は、施術者用トップ画面に移行するボタンである。
【０１１５】
この施術者選択画面２５０で、選択された施術者の選択チェックボックス２５１ａにチェックされた後に加入申込ボタン２５３が押下されると（ステップｕ２３）、管理サーバ１０は、上記保険加入登録プログラムにより損害保険加入情報を加入情報管理テーブル６０（図１１）に登録する（ステップｕ２４）。  
以上の動作により、保険加入者はインターネット７０を介して保険加入者側端末３０から所望の損害保険に加入することができる。
【０１１６】
また、保険加入者は一度登録した加入者情報を用いて、保険料算定ならびに保険加入ができるため、保険加入や保険料算定のための手間を省くことができる。  
さらに、決定済の施術者を容易に検索して、保険料算定および保険加入ができる。また、保険料の負担を希望する旨を施術者に通知することができ、保険加入者の満足度が向上する。
【０１１７】
また、施術者選択画面２５０の抽出結果一覧表示部２５１表示内容を確認することによって、保険加入者は施術者の評価や事故歴とを確認した上で、算定した保険料を考慮して保険に加入することができる。  
したがって、施術を受ける施術者を決定する際の判断基準を得ることができる。
【０１１８】
次に、保険加入者が加入した施術損害保険システム１が提供する損害保険の施術者として指定されている被選択保険通知を受け取った施術者が、その損害保険に加入するための被選択保険加入処理について、図２０および図２１に示すフローチャートと共に詳述する。
【０１１９】
保険加入者の加入を受け付けた管理サーバ１０は、電子メール配信実行プログラムによりその加入を受け付けた損害保険の施術者として指定されている旨を通知する被選択保険通知メールを当該施術者に送信する（ステップｖ１）。
【０１２０】
被選択保険通知メールを受信した施術者側端末２０（ステップｖ２）は、施術者の操作によって管理サーバ１０の提供する施術者用ＨＰのＵＲＬへアクセスし（ステップｖ３）、管理サーバ１０はトップ画面データを施術者側端末２０のブラウザにあわせた形式のデータ（ＨＴＭＬやＨＤＭＬ等）で送信し（ステップｖ４）、施術者側端末２０は、受信したトップ画面データによる施術者用トップ画面をモニタ２１（図１）に表示する（ステップｖ５）。
【０１２１】
この施術者用トップ画面で、施術者によって被選択保険一覧ボタンが押下されると（ステップｖ６）、管理サーバ１０は、被選択保険一覧画面データを施術者側端末２０のブラウザに合わせたデータ形式で送信する（ステップｖ７）。
【０１２２】
施術者側端末２０は、受信した被選択保険一覧画面データに基づいて、図２２の画面イメージ図に示すように、被選択保険一覧画面２６０をモニタ２１（図１）に表示する（ステップｖ６）。
【０１２３】
このとき表示する被選択保険一覧画面２６０には、被選択保険一覧表示部２６１、戻るボタン２６２、ＴＯＰボタン２６３、および利用規約ボタン２６４を表示する。  
なお、被選択保険一覧表示部２６１の各行には、被加入日等の表示部と新着表示部２６１ａと詳細ボタン２６１ｂを表示する。
【０１２４】
ここで、新着表示部２６１ａは新規の被選択保険であることを示すチェックを表示する部分である。  
詳細ボタン２６１ｂは、保険加入者によって施術者として選択された被選択保険の詳細内容を表示する被選択保険詳細表示画面に移行するボタンである。
【０１２５】
戻るボタン２６２は、直前の施術者用トップ画面に移行するボタンであり、ＴＯＰボタン２６３、および利用規約ボタン２６４は、保険加入者用トップ画面に表示された利用規約ボタンおよびＴＯＰボタンと同様のボタンである。
【０１２６】
この被選択保険一覧画面２６０で詳細ボタン２６１ｂが押下されると（ステップｖ９）、管理サーバ１０は、被選択保険詳細画面データを施術者側端末２０のブラウザに合わせたデータ形式で送信する（ステップｖ１０）。
【０１２７】
施術者側端末２０は、受信した被選択保険詳細画面データに基づいて、図２３の画面イメージ図に示すように、被選択保険詳細画面２７０をモニタ２１（図１）に表示する（ステップｖ１１）。
【０１２８】
このとき表示する被選択保険詳細画面２７０には、被選択保険内容詳細表示部２７１、加入申込ボタン２７２、戻るボタン２７３、ＴＯＰボタン２７４、および利用規約ボタン２７５を表示する。
【０１２９】
被選択保険内容詳細表示部２７１は、保険加入者等の被選択保険の保険内容の詳細を表示する部分であり、最下段に保険加入者が加入時に保険料算定結果表示画面２３０の保険料施術者負担希望チェックボックス２３３にチェックを入れて保険料負担を希望するか否かについての保険料負担希望表示部２７１ａを表示する。
【０１３０】
加入申込ボタン２７２は、施術者が被選択保険に加入する被選択保険加入画面に移行するボタンである。  
戻るボタン２７３は、直前の被選択保険一覧画面２６０（図２２）に移行するボタンであり、ＴＯＰボタン２７４、および利用規約ボタン２７５は、被選択保険一覧画面２６０に表示されたＴＯＰボタン２６３および利用規約ボタン２６４と同様のボタンである。
【０１３１】
この被選択保険詳細画面２７０で、加入申込ボタン２７２が押下されると（ステップｖ１２）、管理サーバ１０は、被選択保険加入画面データを施術者側端末２０のブラウザに合わせたデータ形式で送信し、施術者側端末２０は、受信した被選択保険加入画面データに基づいて、図２４に示すように、被選択保険加入画面２８０をモニタ２１（図１）に表示する。
【０１３２】
このとき表示する被選択保険加入画面２８０には、保険料負担加入部２８１、割増加入部２８２、保険加入者に通知する選択チェックボックス２８３、加入ボタン２８４、戻るボタン２８５、およびＴＯＰボタン２８６を表示する。  
保険料負担加入部２８１は、被選択保険に施術者が保険料負担加入する際に加入条件を入力する部分であり、負担割合選択プルダウンボタン２８１ａ、および負担金額入力テキストボックス２８１ｂを表示する。
【０１３３】
負担割合選択プルダウンボタン２８１ａは、例えば５％間隔で負担割合を選択できるように構成している。負担金額入力テキストボックス２８１ｂは負担金額を入力するテキストボックスである。なお、負担割合選択プルダウンボタン２８１ａと負担金額入力テキストボックス２８１ｂとはいずれか一方のみの入力を許容する構成としている。
【０１３４】
割増加入部２８２は、被選択保険に施術者が割増して保険加入する際に加入条件を入力する部分であり、割増割合選択プルダウンボタン２８２ａ、および割増金額入力テキストボックス２８２ｂを表示する。
【０１３５】
割増割合選択プルダウンボタン２８２ａは、例えば５％間隔で割増割合を選択できるように構成している。割増金額入力テキストボックス２８２ｂは割増金額を入力するテキストボックスである。なお、割増割合選択プルダウンボタン２８２ａと割増金額入力テキストボックス２８２ｂとはいずれか一方のみの入力を許容する構成としている。
【０１３６】
また、保険料負担加入部２８１と割増加入部２８２とは、いずれか一方、また両方の入力を許容する構成としている。したがって、保険料負担加入部２８１と割増加入部２８２とが両方入力された場合は、施術者は保険料負担加入に加えて割増加入することができる。
【０１３７】
選択チェックボックス２８３は、施術者が被選択保険に加入したことを保険加入者に通知することを管理サーバ１０に対して指示するチェックボックスである。  
加入ボタン２８４は、保険料負担加入部２８１および／または割増加入部２８２の入力内容での被選択保険への加入を管理サーバ１０に対して指示するボタンである。
【０１３８】
戻るボタン２８５は、直前の被選択保険詳細画面２７０（図２３）に移行するボタンであり、ＴＯＰボタン２８６は、施術者用トップ画面に移行するボタンである。
【０１３９】
この被選択保険加入画面２８０で，保険料負担加入部２８１および／または割増加入部２８２が入力され、加入ボタン２８４が押下されると、施術者側端末２０は被選択保険加入情報を管理サーバ１０に送信する（ステップｖ１５）。
【０１４０】
受信した被選択保険加入情報に保険加入者への通知希望情報が含まれる場合（ステップｖ１６：Ｙｅｓ）、管理サーバ１０は、電子メール配信実行プログラムにより施術者が保険料負担加入および／または割増加入したことを該当する保険加入者に電子メールで送信する（ステップｖ１７）。
【０１４１】
施術者加入情報の送信後、あるいは受信した被選択保険加入情報に保険加入者への通知希望情報が含まれない場合（ステップｖ１６：Ｎｏ）、管理サーバ１０は受信した被選択保険加入情報を保険加入登録プログラムにより加入情報管理テーブル６０（図１１）に登録する（ステップｖ１８）。
【０１４２】
以上の動作により、施術者は、施術前に施術対象が損害保険に加入していることを知ることができるとともに、当該損害保険に保険料負担加入および／または割増加入を選択した加入することができる。
【０１４３】
さらに、当該損害保険に保険料負担加入および／または割増加入を選択した加入することを保険加入者に通知できるため、保険加入者に対して提供するサービスとして保険加入者にアピールすることができる。
【０１４４】
なお、施術損害保険システム１では、施術後あるいは施術前に施術内容や施術方法について、監査者の監査を受けることができる。  
例えば、施術後の施術内容について保険加入者が監査者の監査を希望する場合、保険加入者の操作によって保険加入者側端末３０（図１）が管理サーバ１０（図１）に対して、監査依頼情報データを送信する。監査依頼情報データを受信した管理サーバ１０は、施術者側端末２０（図１）に対して施術記録情報データを少なくとも監査者側端末４０（図１）に送信するように施術記録送信命令データを送信する。該施術記録送信命令データを受信した施術者側端末２０は、該当する施術記録情報データを監査者側端末４０に送信する。
【０１４５】
監査者側端末４０は、受信した該施術記録情報データに基づいて該施術記録情報をモニタ４１に出力する。  
以上の動作によって、モニタ４１（図１）に出力された施術記録情報に基づいて、監査者は、当該施術内容の妥当性等を判断することができる。
【０１４６】
また、監査者の操作によって監査結果データを監査者側端末４０から、管理サーバ１０、施術者側端末２０ならびに保険加入者側端末３０のいずれかに送信することができる。保険加入者側端末３０等は受信した監査結果データに基づいて監査結果をモニタ３１（図１）に出力することができる。
【０１４７】
以上の動作により、保険加入者は出力された監査結果に基づいて自己が受けた施術が適切であったか否かについて専門的第三者の判断を仰ぐことができる。  
また、管理サーバ１０を管理する損害保険提供者は、上記監査結果に基づいて施術者を評価するとともに、賠償金支払の際の判断材料とすることや、該当する施術者に関する保険料算定のための各係数の修正することができる。
【０１４８】
また、施術者から自己の診察および施術の正当性を証明するために、監査者の監査結果を用いることもできる。  
したがって、施術者、保険加入者、ならびに損害保険提供者のいずれにも、施術内容や診察の妥当性についての専門的第三者の判断を利用でき、施術損害保険システム１を利用するものの、満足度を向上することができる。
【０１４９】
また、施術損害保険システム１では、実績情報管理テーブル５２（図３）に格納された施術者の施術実績情報のうち、被選択保険での施術後情報に基づき、例えば、被選択保険の合計保険料が予め設定した基準を超えるとともに、賠償が発生していない施術者に対して、褒章金や被選択保険に加入の際の保険料割引等の優遇条件を付与することができる。
【０１５０】
この場合、管理サーバ１０は、実績情報管理テーブル５２に格納された施術者の施術実績情報から被選択保険における施術後情報を抽出し、賠償実績のない被選択保険の保険料合計と、予め設定した基準金額とを比較する。
【０１５１】
保険料合計が上記基準金額を超える場合は、施術者側端末２０に対して、上記優遇条件に基づく優遇条件データを施術者側端末２０に送信する。施術者側端末２０は、受信した優遇条件データに基づいて、優遇条件をモニタ２１（図１）に出力する。
【０１５２】
以上の動作によって、自己の賠償の生じていない施術実績に基づいて、施術者は優遇を享受することができる。また、施術者は、モニタ２１に出力された優遇条件を確認することができるため、今後の施術に対しても、賠償が生じないよう施術することに勤める。
【０１５３】
なお、施術損害保険システム１において、実績情報管理テーブル５２に格納された施術者の施術実績情報のうち、被選択保険での施術後情報に基づき、例えば、合計賠償額が予め設定した基準を超える施術者に対して、被選択保険に加入の際の保険料割増等の冷遇条件を付与する構成であってもよい。
【０１５４】
また、上記優遇条件や冷遇条件を受けた実績を施術者選択画面２５０（図１９）の抽出結果一覧表示部２５１に表示してもよい。  
これにより、例えば、保険加入者は優遇条件を受けた実績のある施術者を選択する等の判断条件を増加させるとともに、優遇条件を受けたことのある施術者にとって有効な広告効果を得ることができるため、施術損害保険システム１を利用する保険加入者および施術者の満足度を向上させることができる。
【０１５５】
この発明の構成と、上述の実施形態との対応において、
保険料管理システムは、施術損害保険システム１に対応し、
以下同様に、
待遇出力手段は、施術者側端末２０のモニタ２１に対応し、
第三者機関側端末は、監査者側端末４０に対応し、
施術者情報記憶手段は、施術者管理ＤＢ１１に格納された施術者情報テーブル５１に対応し、
施術者評価記憶手段は、施術者管理ＤＢ１１に格納された施術者評価管理テーブル５４に対応し、
第三者機関情報記憶手段は、監査者管理ＤＢ１４に格納された監査者情報テーブル５５に対応し、
施術係数記憶手段は、保険料管理ＤＢ１３に格納された施術内容管理テーブル５６に対応し、
基本保険料記憶手段は、保険料管理ＤＢ１３に格納された基本保険料管理テーブル５７に対応し、
被施術者係数記憶手段は、保険料管理ＤＢ１３に格納された性別および年齢別係数管理テーブル５８に対応し、
施術者係数記憶手段は、保険料管理ＤＢ１３に格納された施術者別係数管理テーブル５９に対応し、
電気通信回線は、インターネット７０に対応し、
施術者指定手段は、検索結果表示画面２２０の検索結果一覧表示部２２１の選択チェックボックス２２１ａに対応し、
算定条件情報送信手段は、検索結果表示画面２２０の保険料算定ボタン２２２及び保険加入者側端末３０に備えた送受信機能に対応し、
算定保険料出力手段は、保険料算定結果表示画面２３０の算定保険料表示部２３１に対応し、
選択加入情報入力手段は、施術者選択画面２５０の保険料施術者負担希望チェックボックス２５２及び加入申込ボタン２５３に対応し、
被選択通知情報出力手段は、被選択保険一覧画面２６０の被選択保険一覧表示部２６１に対応し、
被選択通知情報送信手段は、管理サーバ１０に備えた送受信機能及びステップｖ１に対応し、
被選択通知情報受信手段は、施術者側端末２０に備えた送受信機能及びステップｖ２に対応し、
施術者加入指示手段は、被選択保険詳細画面２７０の加入申込ボタン２７２およびステップｖ１２に対応し、
施術者評価受付手段は、管理サーバ１０が提供する入力フォームに対応し、
比較手段及び待遇決定手段は、管理サーバ１０の記憶装置に格納するプログラムに対応し、
希望指示受信手段、記録送信指示送信手段、算定保険料情報送信手段、選択加入情報受信手段、ならびに待遇情報送信手段は、管理サーバ１０に備えた送受信機能に対応し、
記録送信指示受信手段、施術記録情報送信手段、施術者加入指示情報送信手段、ならびに待遇情報受信手段は、施術者側端末２０に備えた送受信機能に対応し、
希望指示送信手段、算定条件情報受信手段、算定保険料情報受信手段ならびに選択加入情報送信手段は、保険加入者側端末３０に備えた送受信機能に対応し、
保険加入者情報入力手段及び希望指示入力手段は、保険加入者側端末３０に備えたマウスやキーボード等の入力装置に対応し、
保険料算定手段は、管理サーバ１０の記憶装置に格納した保険料算定実行プログラムに対応し、
施術内容指定手段は、施術内容決定画面の施術内容ＩＤ入力テキストボックスに対応するも、
この発明は、上述の実施形態の構成のみに限定されるものではなく、多くの実施の形態を得ることができる。
【図面の簡単な説明】
【０１５６】
【図１】施術損害保険システムのシステム構成図。
【図２】施術者情報テーブルのデータ構成図。
【図３】実績情報管理テーブルのデータ構成図。
【図４】保険加入者情報テーブルのデータ構成図。
【図５】施術者評価管理テーブルのデータ構成図。
【図６】監査者情報テーブルのデータ構成図。
【図７】施術内容管理テーブルのデータ構成図。
【図８】基本保険料管理テーブルのデータ構成図。
【図９】性別および年齢別係数管理テーブルのデータ構成図。
【図１０】該施術者別係数管理テーブルのデータ構成図。
【図１１】加入情報管理テーブルのデータ構成図。
【図１２】保険加入処理のフローチャート。
【図１３】保険加入処理のフローチャート。
【図１４】保険加入処理のフローチャート。
【図１５】決定済施術者検索画面の画面イメージ図。
【図１６】検索結果表示画面の画面イメージ図。
【図１７】保険料算定結果表示画面の画面イメージ図。
【図１８】抽出条件入力画面の画面イメージ図。
【図１９】施術者選択画面の画面イメージ図。
【図２０】被選択保険加入処理のフローチャート。
【図２１】被選択保険加入処理のフローチャート。
【図２２】被選択保険一覧画面の画面イメージ図。
【図２３】被選択保険詳細画面の画面イメージ図。
【図２４】被選択保険加入画面の画面イメージ図。
【符号の説明】
【０１５７】
１…施術損害保険システム
１０…管理サーバ
１１…施術者管理ＤＢ
１３…保険料管理ＤＢ
２０…施術者側端末
３０…保険加入者側端末
４０…監査者側端末
５２…実績情報管理テーブル
５３…保険加入者情報テーブル
６０…加入情報管理テーブル
７０…インターネット
２５１…抽出結果一覧表示部
２５１ａ…選択チェックボックス
２６１…被選択保険一覧表示部
２７２…加入申込ボタン